(57)【特許請求の範囲】
【請求項１】
ヒトが排泄した１回の尿中における第１特定成分、第２特定成分間の濃度比と、上記ヒトが１日に排泄した全ての尿を１つに収集したときの上記１日の全尿中における第１特定成分、第２特定成分間の濃度比との間の相関関係を表すデータを記憶している相関関係記憶部を備え、上記第１特定成分はナトリウムであり、上記第２特定成分はカリウムであり、
被測定者が排泄した１回の尿中における上記第１特定成分、第２特定成分間の濃度比を表すデータを入力するデータ入力部と、
上記データ入力部を介して得られた上記被測定者の上記１回の尿中における上記第１特定成分、第２特定成分間の濃度比に基づいて、上記相関関係記憶部に記憶された上記相関関係を用いて、上記被測定者が１日に排泄した全ての尿を１つに収集するものとしたときの上記１日の全尿中における上記第１特定成分、第２特定成分間の濃度比を換算して求める演算部と
を備えたことを特徴とする尿成分分析装置。
【請求項２】
請求項１に記載の尿成分分析装置において、
上記相関関係記憶部は、上記ヒトが１日または複数日にわたって排泄した複数回の尿中における第１特定成分、第２特定成分間の濃度比を平均して得られた平均濃度比と、上記ヒトが１日または複数日にわたって排泄した全ての尿を１つに収集したときの上記１日または複数日の全尿中における第１特定成分、第２特定成分間の濃度比との間の相関関係を表すデータを記憶しており、
上記演算部は、上記被測定者が１日または複数日にわたって排泄した上記複数回の尿中における上記第１特定成分、第２特定成分間の濃度比を平均して平均濃度比を得、この平均濃度比を上記換算の対象にすることを特徴とする尿成分分析装置。
【請求項３】
請求項１に記載の尿成分分析装置において、
上記相関関係記憶部は、上記ヒトが１日または複数日にわたって排泄した複数回の尿中における第１特定成分、第２特定成分間の濃度比を平均して得られた平均濃度比と、基準となる第１特定成分、第２特定成分間の濃度比との間の相関関係を表すデータを記憶しており、
上記基準となる第１特定成分、第２特定成分間の濃度比は、上記ヒトが排泄した尿について第１特定成分、第２特定成分間の濃度比の１日当たりの平均値を求め、さらに上記１日当たりの平均値を複数日にわたって平均して得られており、
上記演算部は、上記被測定者が１日または複数日にわたって排泄した上記複数回の尿中における上記第１特定成分、第２特定成分間の濃度比を平均して平均濃度比を得、この平均濃度比を上記換算の対象にすることを特徴とする尿成分分析装置。
【請求項４】
ヒトが排泄した尿中における第１特定成分、第２特定成分のそれぞれについて、上記ヒトが排泄した１回の尿中における濃度と、上記ヒトが１日に排泄した全ての尿を１つに収集したときの上記１日の全尿中における濃度との間の相関関係を表すデータを記憶している相関関係記憶部を備え、上記第１特定成分はナトリウムであり、上記第２特定成分はカリウムであり、
被測定者が排泄した１回の尿中における上記第１特定成分の濃度、上記第２特定成分の濃度を表すデータをそれぞれ入力するデータ入力部と、
上記データ入力部を介して得られた上記被測定者の上記１回の尿中における上記第１特定成分の濃度、第２特定成分の濃度に基づいて、上記相関関係記憶部に記憶された上記相関関係を用いて、上記被測定者が１日に排泄した全ての尿を１つに収集するものとしたときの上記１日の全尿中における上記第１特定成分の濃度、上記第２特定成分の濃度をそれぞれ換算して求め、さらにそれらの換算結果に基づいて、上記被測定者の上記１日の全尿中における上記第１特定成分、第２特定成分間の濃度比を算出する演算部と
を備えたことを特徴とする尿成分分析装置。
【請求項５】
請求項４に記載の尿成分分析装置において、
上記相関関係記憶部は、上記第１特定成分、第２特定成分のそれぞれについて、上記ヒトが１日または複数日にわたって排泄した複数回の尿中における濃度を平均して得られた平均濃度と、上記ヒトが１日または複数日にわたって排泄した全ての尿を１つに収集したときの上記１日または複数日の全尿中における濃度との間の相関関係を表すデータを記憶しており、
上記データ入力部は、上記被測定者が１日または複数日にわたって排泄した複数回の尿中における上記第１特定成分の濃度、上記第２特定成分の濃度を表すデータをそれぞれ入力し、
上記演算部は、上記第１特定成分、第２特定成分のそれぞれについて、上記被測定者が１日または複数日にわたって排泄した上記複数回の尿中における濃度を平均して平均濃度を得、この平均濃度を上記換算の対象にすることを特徴とする尿成分分析装置。
【請求項６】
請求項４に記載の尿成分分析装置において、
上記相関関係記憶部は、上記第１特定成分、第２特定成分のそれぞれについて、上記ヒトが１日または複数日にわたって排泄した複数回の尿中における濃度を平均して得られた平均濃度と、基準となる濃度との間の相関関係を表すデータを記憶しており、
上記基準となる濃度は、上記ヒトが排泄した尿について１日当たりの濃度の平均値を求め、さらに上記１日当たりの濃度の平均値を複数日にわたって平均して得られており、
上記データ入力部は、上記被測定者が１日または複数日にわたって排泄した複数回の尿中における上記第１特定成分の濃度、上記第２特定成分の濃度を表すデータをそれぞれ入力し、
上記演算部は、上記第１特定成分、第２特定成分のそれぞれについて、上記被測定者が１日または複数日にわたって排泄した上記複数回の尿中における濃度を平均して平均濃度を得、この平均濃度を上記換算の対象にすることを特徴とする尿成分分析装置。
【請求項７】
請求項１から６までのいずれか一つに記載の尿成分分析装置において、
上記１回の尿または上記複数回の尿は、起床後１回目の尿、起床後２回目の尿、就寝直前の尿のうちのいずれかであり、
上記演算部は、上記１回の尿または上記複数回の尿が起床後１回目の尿、起床後２回目の尿、就寝直前の尿のうちのいずれであるかに応じた上記相関関係を用いることを特徴とする尿成分分析装置。
【請求項８】
請求項７に記載の尿成分分析装置において、
上記被測定者が排泄した上記１回の尿または上記複数回の尿が起床後１回目の尿、起床後２回目の尿、就寝直前の尿のうちのいずれであるかを表す情報を入力する尿指定部を備えたことを特徴とする尿成分分析装置。
【請求項９】
請求項７に記載の尿成分分析装置において、
上記データ入力部は、上記第１特定成分、第２特定成分の濃度に関するデータをリアルタイムで入力し、
上記第１特定成分、第２特定成分の濃度に関するデータが入力された時刻に応じて、上記被測定者が排泄した上記１回の尿または上記複数回の尿が起床後１回目の尿、起床後２回目の尿、就寝直前の尿のうちのいずれであるかを判断する尿判断部を備えたことを特徴とする尿成分分析装置。
【請求項１０】
請求項２または３に記載の尿成分分析装置において、
上記データ入力部を介して得られた上記１日または複数日にわたる、各１回の尿中における第１特定成分、第２特定成分間の濃度比を、それぞれその濃度比が測定された測定日時と対応付けて、上記被測定者に関する測定データとして記憶する測定データ記憶部を備えたことを特徴とする尿成分分析装置。
【請求項１１】
請求項１から１０までのいずれか一つに記載の尿成分分析装置において、
将来の１日または複数日の間に上記被測定者が排尿すべき排尿推奨日時を決定する第２の排尿推奨日時決定部と、
決定された上記排尿推奨日時を報知する排尿推奨日時報知部を備えたことを特徴とする尿成分分析装置。
【請求項１２】
請求項１１に記載の尿成分分析装置において、
上記排尿推奨日時報知部の動作を禁止すべき報知禁止時間帯を設定するための報知禁止時間帯設定部を備え、
上記排尿推奨日時が上記報知禁止時間帯に属するとき、上記排尿推奨日時報知部は上記動作を禁止することを特徴とする尿成分分析装置。
【請求項１３】
請求項１から１２までのいずれか一つに記載の尿成分分析装置において、
上記被測定者が排泄した尿に接触して、上記第１特定成分、第２特定成分の濃度に関するデータを取得するセンサ部を備えたことを特徴とする尿成分分析装置。
【請求項１４】
請求項１から１３までのいずれか一つに記載の尿成分分析装置において、
上記第１特定成分としてのナトリウムと上記第２特定成分としてのカリウムとの間の濃度比と、上記濃度比に応じた上記被測定者に対するアドバイスとを対応づけて記憶するアドバイステーブルと、
上記アドバイステーブルを参照して、上記演算部が算出した上記第１特定成分としてのナトリウムと上記第２特定成分としてのカリウムとの間の濃度比に応じたアドバイスを選択するアドバイス部を備えたことを特徴とする尿成分分析装置。
【請求項１５】
ヒトが排泄した１回の尿中における第１特定成分、第２特定成分間の濃度比と、上記ヒトが１日に排泄した全ての尿を１つに収集したときの上記１日の全尿中における第１特定成分、第２特定成分間の濃度比との間の相関関係を表すデータを、所定の記憶部に記憶させておき、上記第１特定成分はナトリウムであり、上記第２特定成分はカリウムであり、
被測定者が排泄した１回の尿中における上記第１特定成分、第２特定成分間の濃度比を表すデータをそれぞれ入力し、
入力された上記被測定者の上記１回の尿中における上記第１特定成分、第２特定成分間の濃度比に基づいて、上記記憶部に記憶された上記相関関係を用いて、上記被測定者が１日に排泄した全ての尿を１つに収集するものとしたときの上記１日の全尿中における上記第１特定成分、第２特定成分間の濃度比を換算して求めることを特徴とする尿成分分析方法。
【請求項１６】
ヒトが排泄した尿中における第１特定成分、第２特定成分のそれぞれについて、上記ヒトが排泄した１回の尿中における濃度と、上記ヒトが１日に排泄した全ての尿を１つに収集したときの上記１日の全尿中における濃度との間の相関関係を表すデータを、所定の記憶部に記憶させておき、上記第１特定成分はナトリウムであり、上記第２特定成分はカリウムであり、
被測定者が排泄した１回の尿中における上記第１特定成分の濃度、上記第２特定成分の濃度を表すデータをそれぞれ入力し、
入力された上記被測定者の上記１回の尿中における上記第１特定成分の濃度、第２特定成分の濃度に基づいて、上記記憶部に記憶された上記相関関係を用いて、上記被測定者が１日に排泄した全ての尿を１つに収集するものとしたときの上記１日の全尿中における上記第１特定成分の濃度、上記第２特定成分の濃度をそれぞれ換算して求め、さらにそれらの換算結果に基づいて、上記被測定者の上記１日の全尿中における上記第１特定成分、第２特定成分間の濃度比を算出することを特徴とする尿成分分析方法。
【発明の詳細な説明】
【技術分野】
【０００１】
この発明は尿成分分析装置および尿成分分析方法に関し、より詳しくは、被測定者が排泄した尿中における２つの特定成分の間の濃度比を求める尿成分分析装置および尿成分分析方法に関する。
【背景技術】
【０００２】
従来、尿成分を分析する技術として、例えば特許文献１（特許第３８２３０３９号公報）に開示されているように、内管と外管とを備えた尿輸送容器を用い、内管に採取された尿の重量または体積に基づいて、最初に採取された尿の全量を求めると共に、採取された尿中の成分の排泄量を測定する方法が知られている。
【０００３】
また、特許文献２（特許第４３２９１２３号公報）に開示されているように、ヒトが排泄する起床後１番尿の量と特定成分の濃度とを測定して前記起床後一番尿中の特定成分排泄量を求めるとともに、就寝前の放尿から前記起床後一番尿の放尿までの経過時間を取得し、前記特定成分排泄量を前記経過時間と予め設定されている規定時間との比に基づいて規定時間当量へ換算し、この換算された前記規定時間当量に基づいて、ヒトが一日に排泄する特定成分排泄量を算出する方法が知られている。
【先行技術文献】
【特許文献】
【０００４】
【特許文献１】特許第３８２３０３９号公報
【特許文献２】特許第４３２９１２３号公報
【発明の概要】
【発明が解決しようとする課題】
【０００５】
ところで、高血圧症患者の食事療法として、減塩やカリウム摂取が一般的に指導されている。信頼できる文献（ウォルター・ウィレット（Walter Willett）著、田中平三訳、「食事調査の全て  栄養疫学」、第２版、第一出版、２００３年５月）によると、ヒトが食事により摂取したナトリウムとカリウムが尿中に排泄される量の割合は、それぞれ８６％、７７％とされている。したがって、毎日の尿中のナトリウム排泄量（Ｎａ排泄量）とカリウム排泄量（Ｋ排泄量）、特にナトリウム排泄量とカリウム排泄量との間の比（Ｎａ／Ｋ比）を調べることで、高血圧症患者のための食事療法に反映できる。
【０００６】
しかしながら、特許文献１（特許第３８２３０３９号公報）の方法では、１日または複数日にわたって測定を行う場合、被測定者が排尿のたびに尿の一部を採取する必要があり、被測定者にとって煩わしいという問題がある。例えば、被測定者が外出先に容器を持参して採尿するのは、非常に煩わしく、日常的に実践するのに困難が伴う。
【０００７】
また、特許文献２（特許第４３２９１２３号公報）の方法では、起床後１番尿のみとはいえ、その尿を全て収集して尿量を計測する必要があるため、被測定者にとって煩わしいという問題がある。つまり、被測定者の１回分の尿量が比較的多い場合を考慮すると、被測定者は１リットル程度の比較的大容量の容器を準備する必要がある。さらに被測定者がその容器を繰り返し使用する場合、比較的大容量の容器を洗浄するための手間がかかる。なお、便器に１回分の尿量を計測する機能を追加する場合は、非常に大掛かりな装置の設置が必要となる。
【０００８】
ここで、被測定者が排泄した１日のナトリウム排泄量とカリウム排泄量との間の比（Ｎａ／Ｋ比）を知るためには、必ずしも尿量を計測する必要はないと思われる。その理由は、ヒトが排泄した１回の尿中における特定成分の濃度と、上記ヒトが１日に排泄した全ての尿を１つに収集したときの上記１日の全尿中における上記特定成分の濃度との間には、相関関係があるからである。
【０００９】
そこで、この発明の課題は、被測定者が排泄した１日の全尿中における２つの特定成分の間の濃度比を簡便に求めることができる尿成分分析装置および尿成分分析方法を提供することにある。
【課題を解決するための手段】
【００１０】
上記課題を解決するため、この発明の尿成分分析装置は、
ヒトが排泄した１回の尿中における第１特定成分、第２特定成分間の濃度比と、上記ヒトが１日に排泄した全ての尿を１つに収集したときの上記１日の全尿中における第１特定成分、第２特定成分間の濃度比との間の相関関係を表すデータを記憶している相関関係記憶部を備え、上記第１特定成分はナトリウムであり、上記第２特定成分はカリウムであり、
被測定者が排泄した１回の尿中における上記第１特定成分、第２特定成分間の濃度比を表すデータを入力するデータ入力部と、
上記データ入力部を介して得られた上記被測定者の上記１回の尿中における上記第１特定成分、第２特定成分間の濃度比に基づいて、上記相関関係記憶部に記憶された上記相関関係を用いて、上記被測定者が１日に排泄した全ての尿を１つに収集するものとしたときの上記１日の全尿中における上記第１特定成分、第２特定成分間の濃度比を換算して求める演算部と
を備えたことを特徴とする。
【００１１】
本明細書で、「ヒト」は、「被測定者」と同一人であっても良い。「ヒト」は、複数人であっても良く、その場合は「被測定者」を含んでいても良い。
【００１２】
なお、上記データ入力部は被測定者が排泄した１回の尿中における第１特定成分、第２特定成分のそれぞれの濃度を表すデータを一旦入力し、上記換算実行前に、上記演算部がそれらの第１特定成分、第２特定成分間の濃度比をとっても良い。
【００１３】
この発明の尿成分分析装置では、相関関係記憶部は、ヒトが排泄した１回の尿中における第１特定成分、第２特定成分間の濃度比と、上記ヒトが１日に排泄した全ての尿を１つに収集したときの上記１日の全尿中における第１特定成分、第２特定成分間の濃度比との間の相関関係を表すデータを記憶している。データ入力部は、被測定者が排泄した１回の尿中における上記第１特定成分、第２特定成分間の濃度比を表すデータを入力する。演算部は、上記データ入力部を介して得られた上記被測定者の上記１回の尿中における上記第１特定成分、第２特定成分間の濃度比に基づいて、上記相関関係記憶部に記憶された上記相関関係を用いて、上記被測定者が１日に排泄した全ての尿を１つに収集するものとしたときの上記１日の全尿中における上記第１特定成分、第２特定成分間の濃度比を換算して求める。
【００１４】
ここで、この尿成分分析装置では、被測定者が排泄した１回の尿中における第１特定成分、第２特定成分間の濃度比に基づいて、１日の全尿中における上記第１特定成分、第２特定成分間の濃度比を換算して求めているので、被測定者が排泄した尿の量を実際に計測する必要がない。また、被測定者が排泄した少なくとも１回の尿中における第１特定成分、第２特定成分間の濃度比が入力データとして得られれば、換算結果が得られる。したがって、この尿成分分析装置によれば、被測定者が排泄した１日の全尿中における２つの特定成分の間の濃度比を簡便に求めることができる。また、上記第１特定成分がナトリウムであり、上記第２特定成分がカリウムであり、したがって、上記演算部によって得られた、上記被測定者の１日の全尿中における上記第１特定成分、第２特定成分間の濃度比がＮａ／Ｋ比であれば、このＮａ／Ｋ比は、上記被測定者の高血圧に関する情報として用いることができる。
【００１５】
一実施形態の尿成分分析装置では、
上記相関関係記憶部は、上記ヒトが１日または複数日にわたって排泄した複数回の尿中における第１特定成分、第２特定成分間の濃度比を平均して得られた平均濃度比と、上記ヒトが１日または複数日にわたって排泄した全ての尿を１つに収集したときの上記１日または複数日の全尿中における第１特定成分、第２特定成分間の濃度比との間の相関関係を表すデータを記憶しており、
上記演算部は、上記被測定者が１日または複数日にわたって排泄した上記複数回の尿中における上記第１特定成分、第２特定成分間の濃度比を平均して平均濃度比を得、この平均濃度比を上記換算の対象にすることを特徴とする。
【００１６】
この一実施形態の尿成分分析装置では、上記相関関係記憶部は、上記ヒトが１日または複数日にわたって排泄した複数回の尿中における第１特定成分、第２特定成分間の濃度比を平均して得られた平均濃度比と、上記ヒトが１日または複数日にわたって排泄した全ての尿を１つに収集したときの上記１日または複数日の全尿中における第１特定成分、第２特定成分間の濃度比との間の相関関係を表すデータを記憶している。上記演算部は、上記被測定者が１日または複数日にわたって排泄した上記複数回の尿中における上記第１特定成分、第２特定成分間の濃度比を平均して平均濃度比を得、この平均濃度比を上記換算の対象にする。すなわち、上記演算部は、得られた上記第１特定成分、第２特定成分間の平均濃度比に基づいて、上記相関関係記憶部に記憶された上記相関関係を用いて、上記被測定者が１日に排泄した全ての尿を１つに収集するものとしたときの上記１日の全尿中における上記第１特定成分、第２特定成分間の濃度比を換算して求める。このようにした場合、算出された上記１日の全尿中における上記第１特定成分、第２特定成分間の濃度比の精度が高まる。
【００１７】
一実施形態の尿成分分析装置では、
上記相関関係記憶部は、上記ヒトが１日または複数日にわたって排泄した複数回の尿中における第１特定成分、第２特定成分間の濃度比を平均して得られた平均濃度比と、基準となる第１特定成分、第２特定成分間の濃度比との間の相関関係を表すデータを記憶しており、
上記基準となる第１特定成分、第２特定成分間の濃度比は、上記ヒトが排泄した尿について第１特定成分、第２特定成分間の濃度比の１日当たりの平均値を求め、さらに上記１日当たりの平均値を複数日にわたって平均して得られており、
上記演算部は、上記被測定者が１日または複数日にわたって排泄した上記複数回の尿中における上記第１特定成分、第２特定成分間の濃度比を平均して平均濃度比を得、この平均濃度比を上記換算の対象にすることを特徴とする。
【００１８】
この一実施形態の尿成分分析装置では、上記相関関係記憶部は、上記ヒトが１日または複数日にわたって排泄した複数回の尿中における第１特定成分、第２特定成分間の濃度比を平均して得られた平均濃度比と、基準となる第１特定成分、第２特定成分間の濃度比との間の相関関係を表すデータを記憶している。上記演算部は、上記被測定者が１日または複数日にわたって排泄した上記複数回の尿中における上記第１特定成分、第２特定成分間の濃度比を平均して平均濃度比を得、この平均濃度比を上記換算の対象にする。すなわち、上記演算部は、得られた上記第１特定成分、第２特定成分間の平均濃度比に基づいて、上記相関関係記憶部に記憶された上記相関関係を用いて、上記被測定者が１日に排泄した全ての尿を１つに収集するものとしたときの上記１日の全尿中における上記第１特定成分、第２特定成分間の濃度比を換算して求める。このようにした場合、算出された上記１日の全尿中における上記第１特定成分、第２特定成分間の濃度比の精度が高まる。しかも、上記相関関係の基準となる第１特定成分、第２特定成分間の濃度比は、上記ヒトが排泄した尿について第１特定成分、第２特定成分間の濃度比の１日当たりの平均値を求め、さらに上記１日当たりの平均値を複数日にわたって平均して得られたものである。つまり、複数日にわたる尿を対象として上記相関関係を求める場合、ヒトが上記複数日にわたって排泄した全ての尿を１つに収集する必要がなく、１日毎に尿を収集して、第１特定成分、第２特定成分間の濃度比の１日当たりの平均値を求めてゆけば良い。したがって、上記相関関係を容易に取得できる。
【００１９】
別の局面では、この発明の尿成分分析装置は、
ヒトが排泄した尿中における第１特定成分、第２特定成分のそれぞれについて、上記ヒトが排泄した１回の尿中における濃度と、上記ヒトが１日に排泄した全ての尿を１つに収集したときの上記１日の全尿中における濃度との間の相関関係を表すデータを記憶している相関関係記憶部を備え、上記第１特定成分はナトリウムであり、上記第２特定成分はカリウムであり、
被測定者が排泄した１回の尿中における上記第１特定成分の濃度、上記第２特定成分の濃度を表すデータをそれぞれ入力するデータ入力部と、
上記データ入力部を介して得られた上記被測定者の上記１回の尿中における上記第１特定成分の濃度、第２特定成分の濃度に基づいて、上記相関関係記憶部に記憶された上記相関関係を用いて、上記被測定者が１日に排泄した全ての尿を１つに収集するものとしたときの上記１日の全尿中における上記第１特定成分の濃度、上記第２特定成分の濃度をそれぞれ換算して求め、さらにそれらの換算結果に基づいて、上記被測定者の上記１日の全尿中における上記第１特定成分、第２特定成分間の濃度比を算出する演算部と
を備えたことを特徴とする。
【００２０】
この発明の尿成分分析装置では、相関関係記憶部は、ヒトが排泄した尿中における第１特定成分、第２特定成分のそれぞれについて、上記ヒトが排泄した１回の尿中における濃度と、上記ヒトが１日に排泄した全ての尿を１つに収集したときの上記１日の全尿中における濃度との間の相関関係を表すデータを記憶している。データ入力部は、被測定者が排泄した１回の尿中における上記第１特定成分の濃度、上記第２特定成分の濃度を表すデータをそれぞれ入力する。演算部は、まず、上記データ入力部を介して得られた上記被測定者の上記１回の尿中における上記第１特定成分の濃度、第２特定成分の濃度に基づいて、上記相関関係記憶部に記憶された上記相関関係を用いて、上記被測定者が１日に排泄した全ての尿を１つに収集するものとしたときの上記１日の全尿中における上記第１特定成分の濃度、上記第２特定成分の濃度をそれぞれ換算して求める。上記演算部は、さらにそれらの換算結果に基づいて、上記被測定者の上記１日の全尿中における上記第１特定成分、第２特定成分間の濃度比を算出する。
【００２１】
ここで、この尿成分分析装置では、被測定者が排泄した１回の尿中における第１特定成分の濃度、第２特定成分の濃度に基づいて、１日の全尿中における上記第１特定成分の濃度、上記第２特定成分の濃度をそれぞれ換算して求めているので、被測定者が排泄した尿の量を実際に計測する必要がない。また、被測定者が排泄した少なくとも１回の尿中における第１特定成分の濃度、第２特定成分の濃度が入力データとして得られれば、換算結果が得られる。したがって、この尿成分分析装置によれば、被測定者が排泄した１日の全尿中における２つの特定成分の間の濃度比を簡便に求めることができる。また、上記第１特定成分がナトリウムであり、上記第２特定成分がカリウムであり、したがって、上記演算部によって得られた、上記被測定者の１日の全尿中における上記第１特定成分、第２特定成分間の濃度比がＮａ／Ｋ比であれば、このＮａ／Ｋ比は、上記被測定者の高血圧に関する情報として用いることができる。
【００２２】
一実施形態の尿成分分析装置では、
上記相関関係記憶部は、上記第１特定成分、第２特定成分のそれぞれについて、上記ヒトが１日または複数日にわたって排泄した複数回の尿中における濃度を平均して得られた平均濃度と、上記ヒトが１日または複数日にわたって排泄した全ての尿を１つに収集したときの上記１日または複数日の全尿中における濃度との間の相関関係を表すデータを記憶しており、
上記データ入力部は、上記被測定者が１日または複数日にわたって排泄した複数回の尿中における上記第１特定成分の濃度、上記第２特定成分の濃度を表すデータをそれぞれ入力し、
上記演算部は、上記第１特定成分、第２特定成分のそれぞれについて、上記被測定者が１日または複数日にわたって排泄した上記複数回の尿中における濃度を平均して平均濃度を得、この平均濃度を上記換算の対象にすることを特徴とする。
【００２３】
この一実施形態の尿成分分析装置では、上記相関関係記憶部は、上記第１特定成分、第２特定成分のそれぞれについて、上記ヒトが１日または複数日にわたって排泄した複数回の尿中における濃度を平均して得られた平均濃度と、上記ヒトが１日または複数日にわたって排泄した全ての尿を１つに収集したときの上記１日または複数日の全尿中における濃度との間の相関関係を表すデータを記憶している。上記データ入力部は、上記被測定者が１日または複数日にわたって排泄した複数回の尿中における上記第１特定成分の濃度、上記第２特定成分の濃度を表すデータをそれぞれ入力する。上記演算部は、上記第１特定成分、第２特定成分のそれぞれについて、上記被測定者が１日または複数日にわたって排泄した上記複数回の尿中における濃度を平均して平均濃度を得、この平均濃度を上記換算の対象にする。すなわち、上記演算部は、まず、得られた上記第１特定成分の平均濃度、上記第２特定成分の平均濃度に基づいて、上記相関関係記憶部に記憶された上記相関関係を用いて、上記被測定者が１日に排泄した全ての尿を１つに収集するものとしたときの上記１日の全尿中における上記第１特定成分の濃度、上記第２特定成分の濃度をそれぞれ換算して求める。上記演算部は、さらにそれらの換算結果に基づいて、上記被測定者の上記１日の全尿中における上記第１特定成分、第２特定成分間の濃度比を算出する。このようにした場合、算出された上記１日の全尿中における上記第１特定成分、第２特定成分間の濃度比の精度が高まる。
【００２４】
一実施形態の尿成分分析装置では、
上記相関関係記憶部は、上記第１特定成分、第２特定成分のそれぞれについて、上記ヒトが１日または複数日にわたって排泄した複数回の尿中における濃度を平均して得られた平均濃度と、基準となる濃度との間の相関関係を表すデータを記憶しており、
上記基準となる濃度は、上記ヒトが排泄した尿について１日当たりの濃度の平均値を求め、さらに上記１日当たりの濃度の平均値を複数日にわたって平均して得られており、
上記データ入力部は、上記被測定者が１日または複数日にわたって排泄した複数回の尿中における上記第１特定成分の濃度、上記第２特定成分の濃度を表すデータをそれぞれ入力し、
上記演算部は、上記第１特定成分、第２特定成分のそれぞれについて、上記被測定者が１日または複数日にわたって排泄した上記複数回の尿中における濃度を平均して平均濃度を得、この平均濃度を上記換算の対象にすることを特徴とする。
【００２５】
この一実施形態の尿成分分析装置では、上記相関関係記憶部は、上記第１特定成分、第２特定成分のそれぞれについて、上記ヒトが１日または複数日にわたって排泄した複数回の尿中における濃度を平均して得られた平均濃度と、基準となる濃度との間の相関関係を表すデータを記憶している。上記データ入力部は、上記被測定者が１日または複数日にわたって排泄した複数回の尿中における上記第１特定成分の濃度、上記第２特定成分の濃度を表すデータをそれぞれ入力する。上記演算部は、上記第１特定成分、第２特定成分のそれぞれについて、上記被測定者が１日または複数日にわたって排泄した上記複数回の尿中における濃度を平均して平均濃度を得、この平均濃度を上記換算の対象にする。すなわち、上記演算部は、まず、得られた上記第１特定成分の平均濃度、上記第２特定成分の平均濃度に基づいて、上記相関関係記憶部に記憶された上記相関関係を用いて、上記被測定者が１日に排泄した全ての尿を１つに収集するものとしたときの上記１日の全尿中における上記第１特定成分の濃度、上記第２特定成分の濃度をそれぞれ換算して求める。上記演算部は、さらにそれらの換算結果に基づいて、上記被測定者の上記１日の全尿中における上記第１特定成分、第２特定成分間の濃度比を算出する。このようにした場合、算出された上記１日の全尿中における上記第１特定成分、第２特定成分間の濃度比の精度が高まる。しかも、上記相関関係の基準となる濃度は、上記ヒトが排泄した尿について１日当たりの濃度の平均値を求め、さらに上記１日当たりの濃度の平均値を複数日にわたって平均して得られたものである。つまり、複数日にわたる尿を対象として上記相関関係を求める場合、ヒトが上記複数日にわたって排泄した全ての尿を１つに収集する必要がなく、１日毎に尿を収集して、上記第１特定成分の濃度、上記第２特定成分の１日当たりの濃度の平均値を求めてゆけば良い。したがって、上記相関関係を容易に取得できる。
【００２６】
一実施形態の尿成分分析装置では、
上記１回の尿または上記複数回の尿は、起床後１回目の尿、起床後２回目の尿、就寝直前の尿のうちのいずれかであり、
上記演算部は、上記１回の尿または上記複数回の尿が起床後１回目の尿、起床後２回目の尿、就寝直前の尿のうちのいずれであるかに応じた上記相関関係を用いることを特徴とする。
【００２７】
本明細書で、「就寝直前の尿」とは、上記被測定者が排泄した就寝前の最後の１回の尿を指す。
【００２８】
この一実施形態の尿成分分析装置では、上記１回の尿または上記複数回の尿は、起床後１回目の尿、起床後２回目の尿、就寝直前の尿のうちのいずれかである。上記演算部は、上記１回の尿または上記複数回の尿が起床後１回目の尿、起床後２回目の尿、就寝直前の尿のうちのいずれであるかに応じた上記相関関係を用いる。このようにした場合、算出された上記１日の全尿中における上記第１特定成分、第２特定成分間の濃度比の精度がさらに高まる。
【００２９】
一実施形態の尿成分分析装置では、上記被測定者が排泄した上記１回の尿または上記複数回の尿が起床後１回目の尿、起床後２回目の尿、就寝直前の尿のうちのいずれであるかを表す情報を入力する尿指定部を備えたことを特徴とする。
【００３０】
この一実施形態の尿成分分析装置では、ユーザ（被測定者自身であっても良いし、被測定者のために本装置を操作する者であっても良い。以下同様。）が、尿指定部を介して、上記被測定者が排泄した上記１回の尿または上記複数回の尿が起床後１回目の尿、起床後２回目の尿、就寝直前の尿のうちのいずれであるかを表す情報を入力することができる。この入力により、上記被測定者が排泄した上記１回の尿または上記複数回の尿が起床後１回目の尿、起床後２回目の尿、就寝直前の尿のうちのいずれであるかが指定される。この結果、上記演算部は、上記相関関係記憶部に記憶された相関関係のうち、上記１回の尿または上記複数回の尿が起床後１回目の尿、起床後２回目の尿、就寝直前の尿のうちのいずれであるかに応じた相関関係を選択して用いることができる。
【００３１】
一実施形態の尿成分分析装置では、
上記データ入力部は、上記第１特定成分、第２特定成分の濃度に関するデータをリアルタイムで入力し、
上記第１特定成分、第２特定成分の濃度に関するデータが入力された時刻に応じて、上記被測定者が排泄した上記１回の尿または上記複数回の尿が起床後１回目の尿、起床後２回目の尿、就寝直前の尿のうちのいずれであるかを判断する尿判断部を備えたことを特徴とする。
【００３２】
本明細書で、「上記第１特定成分、第２特定成分の濃度に関するデータ」とは、上記第１特定成分の濃度、第２特定成分の濃度、または上記第１特定成分、第２特定成分間の濃度比を表すデータ含み、さらに、それらの濃度または濃度比を補正するためのデータを含んでいても良い。
【００３３】
また、「リアルタイムで入力」するとは、上記被測定者による排尿日時と実質的に同時に入力することを意味する。
【００３４】
この一実施形態の尿成分分析装置では、上記データ入力部は、上記第１特定成分、第２特定成分の濃度に関するデータをリアルタイムで入力する。尿判断部は、上記第１特定成分、第２特定成分の濃度に関するデータが入力された時刻に応じて、上記被測定者が排泄した上記１回の尿または上記複数回の尿が起床後１回目の尿、起床後２回目の尿、就寝直前の尿のうちのいずれであるかを判断する。この判断結果により、上記被測定者が排泄した上記１回の尿または上記複数回の尿が起床後１回目の尿、起床後２回目の尿、就寝直前の尿のうちのいずれであるかが指定される。この結果、上記演算部は、上記相関関係記憶部に記憶された相関関係のうち、上記１回の尿または上記複数回の尿が起床後１回目の尿、起床後２回目の尿、就寝直前の尿のうちのいずれであるかに応じた相関関係を選択して用いることができる。これにより、ユーザが尿指定情報を入力する手間を省くことができる。
【００３５】
一実施形態の尿成分分析装置では、
上記被測定者が睡眠をとる睡眠時間帯を設定するための睡眠時間帯設定部を備え、
上記尿判断部は、上記第１特定成分、第２特定成分の濃度に関するデータが入力された時刻を上記睡眠時間帯と比較して、上記被測定者が排泄した上記１回の尿または上記複数回の尿が起床後１回目の尿、起床後２回目の尿、就寝直前の尿のうちのいずれであるかを判断することを特徴とする。
【００３６】
この一実施形態の尿成分分析装置では、ユーザが、睡眠時間帯設定部を介して、上記被測定者が睡眠をとる睡眠時間帯を設定することができる。そのように睡眠時間帯が設定された場合、上記尿判断部は、上記第１特定成分、第２特定成分の濃度に関するデータが入力された時刻を上記睡眠時間帯と比較して、上記被測定者が排泄した上記１回の尿または上記複数回の尿が起床後１回目の尿、起床後２回目の尿、就寝直前の尿のうちのいずれであるかを判断する。したがって、上記尿判断部の判断の精度が高まる。
【００３７】
一実施形態の尿成分分析装置では、上記データ入力部を介して得られた上記１日または複数日にわたる、各１回の尿中における第１特定成分、第２特定成分間の濃度比を、それぞれその濃度比が測定された測定日時と対応付けて、上記被測定者に関する測定データとして記憶する測定データ記憶部を備えたことを特徴とする。
【００３８】
この一実施形態の尿成分分析装置では、測定データ記憶部は、上記データ入力部を介して得られた上記１日または複数日にわたる、各１回の尿中における第１特定成分、第２特定成分間の濃度比を、それぞれその濃度比が測定された測定日時と対応付けて、上記被測定者に関する測定データとして記憶する。したがって、上記演算部は、この測定データ記憶部に記憶された上記被測定者に関する測定データを用いて、上記換算結果を得ることができる。
【００３９】
一実施形態の尿成分分析装置では、上記演算部は、上記換算の対象として、上記測定データ記憶部に記憶された上記被測定者に関する測定データのうち、互いに異なる日の互いに異なる時間帯の複数回分の測定データを選択することを特徴とする。
【００４０】
本明細書で、「時間帯」とは、１日を複数に区分したときの時間帯を指し、例えば１時間毎、２時間毎または３時間毎の時間帯を指す。
【００４１】
この一実施形態の尿成分分析装置では、上記演算部は、上記換算の対象として、上記測定データ記憶部に記憶された上記被測定者に関する測定データのうち、互いに異なる日の互いに異なる時間帯の複数回分の測定データを選択する。この結果、換算の精度が高まる。
【００４２】
一実施形態の尿成分分析装置では、上記複数回は少なくとも５回であることを特徴とする。
【００４３】
この一実施形態の尿成分分析装置では、上記複数回は少なくとも５回である。すなわち、上記演算部は、上記換算の対象として、上記測定データ記憶部に記憶された上記被測定者に関する測定データのうち、互いに異なる日の互いに異なる時間帯の少なくとも５回分の測定データを選択する。この結果、換算の精度が高まる。また、少なくとも５回分の測定データを用いれば、換算の精度がほぼ飽和する。したがって、例えば予め５回分の測定データを用いることを定めておけば、排尿および測定のために上記被測定者に過度の手間をかけさせることがない。
【００４４】
一実施形態の尿成分分析装置では、上記互いに異なる日は少なくとも７日間を含むことを特徴とする。
【００４５】
この一実施形態の尿成分分析装置では、上記互いに異なる日は少なくとも７日間を含む。すなわち、上記演算部は、上記換算の対象として、上記測定データ記憶部に記憶された上記被測定者に関する測定データのうち、互いに異なる少なくとも７日間の互いに異なる時間帯の複数回分の測定データを選択する。この結果、換算の精度が高まる。なお、少なくとも７日間の測定データを選択する理由は、１週間（７日間）が多くのヒトの生活（食生活を含む。）のサイクルになっているからである。
【００４６】
一実施形態の尿成分分析装置では、上記互いに異なる日は互いに異なる曜日を含むことを特徴とする。
【００４７】
この一実施形態の尿成分分析装置では、上記互いに異なる日は互いに異なる曜日を含む。すなわち、上記演算部は、上記換算の対象として、上記測定データ記憶部に記憶された上記被測定者に関する測定データのうち、互いに異なる曜日の互いに異なる時間帯の複数回分の測定データを選択する。この結果、換算の精度が高まる。なお、互いに異なる曜日の測定データを選択する理由は、１週間（７日間）が多くのヒトの生活（食生活を含む。）のサイクルになっているからである。
【００４８】
一実施形態の尿成分分析装置では、上記演算部は、上記選択される複数回分の測定データとして、上記測定データ記憶部に記憶された上記被測定者に関する測定データのうち、最後に測定された１回の尿中における第１特定成分、第２特定成分間の濃度比を含めることを特徴とする。
【００４９】
この一実施形態の尿成分分析装置では、上記演算部は、上記選択される複数回分の測定データとして、上記測定データ記憶部に記憶された上記被測定者に関する測定データのうち、最後に測定された１回の尿中における第１特定成分、第２特定成分間の濃度比を含める。この結果、上記演算部によって得られた上記換算結果は、上記被測定者の直近の健康状態を反映したものとなる。
【００５０】
一実施形態の尿成分分析装置では、上記測定データ記憶部は、上記データ入力部を介して得られた上記１日または複数日にわたる、各１回の尿中における第１特定成分、第２特定成分間の濃度比を、それぞれその濃度比が測定された測定日時に加えて、上記被測定者による排尿日時と対応付けて、上記被測定者に関する測定データとして記憶することを特徴とする。
【００５１】
この一実施形態の尿成分分析装置では、上記測定データ記憶部は、上記データ入力部を介して得られた上記１日または複数日にわたる、各１回の尿中における第１特定成分、第２特定成分間の濃度比を、それぞれその濃度比が測定された測定日時に加えて、上記被測定者による排尿日時と対応付けて、上記被測定者に関する測定データとして記憶する。したがって、例えば、上記被測定者が排泄した尿を一時的に保管しておき、その後、上記被測定者が上記尿の第１特定成分、第２特定成分間の濃度比を測定し、その測定の前後に、上記尿の排尿日時を入力するという使用態様が可能となる。なお、上記被測定者が排尿と測定とを同時に行い、上記データ入力部を介して得られた尿の第１特定成分、第２特定成分間の濃度比を、上記測定データ記憶部が同時に記憶するという使用態様も可能である。
【００５２】
一実施形態の尿成分分析装置では、上記測定データ記憶部に記憶された排尿日時に基づいて、上記１日または複数日にわたる期間内の上記被測定者による排尿日時の履歴を報知する排尿履歴報知部を備えたことを特徴とする。
【００５３】
この一実施形態の尿成分分析装置では、排尿履歴報知部は、上記測定データ記憶部に記憶された排尿日時に基づいて、上記１日または複数日にわたる期間内の上記被測定者による排尿日時の履歴を報知する。これにより、ユーザ（既述のように被測定者であっても良い。）は、上記被測定者が過去に排尿や測定を行わなかった曜日や時間帯を認識できる。したがって、上記被測定者は、過去に排尿や測定を行わなかった曜日や時間帯に、今後は排尿や測定を行うように心掛けることができる。
【００５４】
一実施形態の尿成分分析装置では、上記排尿履歴報知部は、上記測定データ記憶部に記憶された排尿日時に基づいて、上記被測定者による排尿回数を曜日毎または時間帯毎に表すヒストグラムを作成するヒストグラム作成部を含むことを特徴とする。
【００５５】
この一実施形態の尿成分分析装置では、上記排尿履歴報知部に含まれたヒストグラム作成部は、上記測定データ記憶部に記憶された排尿日時に基づいて、上記被測定者による排尿回数を曜日毎または時間帯毎に表すヒストグラムを作成する。このヒストグラムを見ることにより、ユーザは上記被測定者が過去に排尿や測定を行わなかった曜日や時間帯を、視覚を通して直感的に認識できる。
【００５６】
一実施形態の尿成分分析装置では、上記排尿日時を入力するための排尿日時入力部を備えたことを特徴とする。
【００５７】
この一実施形態の尿成分分析装置では、上記排尿日時を入力するための排尿日時入力部を備える。したがって、ユーザは、上記排尿日時入力部によって排尿日時を容易に入力することができる。
【００５８】
一実施形態の尿成分分析装置では、
上記データ入力部は、上記各１回の尿中における第１特定成分、第２特定成分間の濃度比をリアルタイムで入力し、
上記測定データ記憶部は、上記データ入力部によって上記各１回の尿中における第１特定成分、第２特定成分間の濃度比が入力された日時に応じて、上記排尿日時を記憶することを特徴とする。
【００５９】
この一実施形態の尿成分分析装置では、上記データ入力部は、上記各１回の尿中における第１特定成分、第２特定成分間の濃度比をリアルタイムで、すなわち、上記被測定者による排尿日時と実質的に同時に入力する。上記測定データ記憶部は、上記各１回の尿中における第１特定成分、第２特定成分間の濃度比が入力された日時に応じて、上記排尿日時を記憶する。これにより、ユーザが上記排尿日時を入力する手間を省くことができる。
【００６０】
一実施形態の尿成分分析装置では、
上記測定データ記憶部に記憶された排尿日時に基づいて、上記被測定者に関する測定データが上記１日のうち互いに異なる時間帯または上記複数日のうち互いに異なる日の互いに異なる時間帯に得られるように、上記被測定者が排尿すべき排尿推奨日時を決定する第１の排尿推奨日時決定部と、
決定された上記排尿推奨日時を報知する排尿推奨日時報知部とを備えたことを特徴とする。
【００６１】
この一実施形態の尿成分分析装置では、第１の排尿推奨日時決定部は、上記測定データ記憶部に記憶された排尿日時に基づいて、上記被測定者に関する測定データが上記１日のうち互いに異なる時間帯または上記複数日のうち互いに異なる日の互いに異なる時間帯に得られるように、上記被測定者が排尿すべき排尿推奨日時を決定する。排尿推奨日時報知部は、決定された上記排尿推奨日時を報知する。これにより、上記被測定者は、過去に排尿や測定を行わなかった曜日や時間帯に、今後は排尿や測定を行うように促される。
【００６２】
一実施形態の尿成分分析装置では、
将来の１日または複数日の間に上記被測定者が排尿すべき排尿推奨日時を決定する第２の排尿推奨日時決定部と、
決定された上記排尿推奨日時を報知する排尿推奨日時報知部を備えたことを特徴とする。
【００６３】
ここで、「将来の１日または複数日」は、現在の時刻が起床時刻前であれば、その現在の時刻が属する日を含んでも良い意味である。
【００６４】
この一実施形態の尿成分分析装置では、第２の排尿推奨日時決定部は、将来の１日または複数日の間に上記被測定者が排尿すべき排尿推奨日時を決定する。排尿推奨日時報知部は、決定された上記排尿推奨日時を報知する。これにより、上記被測定者は、将来の１日または複数日の間に排尿すべき排尿推奨日時を知ることができる。
【００６５】
一実施形態の尿成分分析装置では、上記排尿推奨日時報知部は、上記排尿推奨日時に警報音を鳴らす動作を実行することを特徴とする。
【００６６】
この一実施形態の尿成分分析装置では、上記排尿推奨日時報知部は、上記排尿推奨日時に警報音を鳴らす動作を実行する。したがって、上記被測定者は、上記警報音が鳴った日時に排尿や測定を行うように促される。
【００６７】
一実施形態の尿成分分析装置では、上記排尿推奨日時報知部は、上記排尿推奨日時に、上記被測定者に対して排尿を促すメールを送信する動作を実行することを特徴とする。
【００６８】
この一実施形態の尿成分分析装置では、上記排尿推奨日時報知部は、上記排尿推奨日時に、上記被測定者に対して排尿を促すメールを送信する動作を実行する。したがって、上記被測定者は、例えば自身の携帯電話やスマートフォンなどで上記メールを受信した日時に排尿や測定を行うように促される。
【００６９】
一実施形態の尿成分分析装置では、
上記排尿推奨日時報知部の動作を禁止すべき報知禁止時間帯を設定するための報知禁止時間帯設定部を備え、
上記排尿推奨日時が上記報知禁止時間帯に属するとき、上記排尿推奨日時報知部は上記動作を禁止することを特徴とする。
【００７０】
この一実施形態の尿成分分析装置では、ユーザは、上記報知禁止時間帯設定部によって上記排尿推奨日時報知部の動作を禁止すべき報知禁止時間帯を設定することができる。例えば、上記報知禁止時間帯として上記被測定者が就寝している時間帯を設定しておくものとする。これにより、上記被測定者が就寝している時間帯に、上記排尿推奨日時報知部によって排尿を強制されるような事態を避けることができる。
【００７１】
一実施形態の尿成分分析装置では、上記被測定者が排泄した尿に接触して、上記第１特定成分、第２特定成分の濃度に関するデータを取得するセンサ部を備えたことを特徴とする。
【００７２】
この一実施形態の尿成分分析装置では、センサ部が、上記被測定者が排泄した尿に接触して、上記第１特定成分、第２特定成分の濃度に関するデータを取得する。このセンサ部が取得した上記第１特定成分、第２特定成分の濃度は、上記データ入力部によって入力されて、上記演算部による換算の対象になる。
【００７３】
一実施形態の尿成分分析装置では、上記演算部が算出した上記第１特定成分、第２特定成分間の濃度比を記憶する演算結果記憶部を備えたことを特徴とする。
【００７４】
この一実施形態の尿成分分析装置では、上記演算部が算出した上記第１特定成分、第２特定成分間の濃度比が、演算結果記憶部に記憶される。したがって、ユーザは、この演算結果記憶部の内容を読み出すことによって、上記被測定者の上記１日の全尿中における上記第１特定成分、第２特定成分間の濃度比を、容易に知ることができる。特に、上記被測定者の１日の全尿中における上記第１特定成分、第２特定成分間の濃度比を、日ごとに演算結果記憶部に記憶させておけば、ユーザは、上記第１特定成分、第２特定成分間の濃度比の、日ごとの変化の傾向を、容易に知ることができる。
【００７５】
一実施形態の尿成分分析装置では、上記演算部が算出した上記第１特定成分、第２特定成分間の濃度比を報知する演算結果報知部を備えたことを特徴とする。
【００７６】
この一実施形態の尿成分分析装置では、演算結果報知部は、上記演算部が算出した上記第１特定成分、第２特定成分間の濃度比を報知する。したがって、ユーザは、この演算結果報知部による報知を受けて、上記被測定者の１日の全尿中における上記第１特定成分、第２特定成分間の濃度比を、容易に知ることができる。
【００７７】
一実施形態の尿成分分析装置では、
上記相関関係記憶部、データ入力部および演算部を、少なくとも搭載した筐体を備え、
上記センサ部は、上記筐体から外部へ突出した態様で上記筐体に取り付けられていることを特徴とする。
【００７８】
この一実施形態の尿成分分析装置では、上記相関関係記憶部、データ入力部および演算部を、少なくとも搭載した筐体を備えている。また、上記センサ部は、上記筐体から外部へ突出した態様で上記筐体に取り付けられている。したがって、ユーザが上記筐体を手に持って使用する手持ちタイプの尿成分分析装置が構成され得る。
【００７９】
例えば、この手持ちタイプの尿成分分析装置を使用する場合、ユーザとしての被測定者が排尿する時、上記筐体を手に持って上記センサ部に尿が降りかかる状態にする。これにより、上記センサ部が、上記被測定者が排泄した尿に接触して、上記第１特定成分、第２特定成分の濃度に関するデータを取得する。
【００８０】
または、ユーザとしての被測定者が排尿する時、１回の尿の一部を使い捨ての紙コップに採取し、上記筐体を手に持って上記センサ部を上記紙コップ内の尿に浸漬しても良い。
【００８１】
または、ユーザとしての被測定者が排尿する時、１回の尿の一部をトイレットペーパにしみ込ませ、上記筐体を手に持って上記センサ部をそのトイレットペーパにしみ込んだ尿に接触させても良い。
【００８２】
または、ユーザとしての被測定者が排尿する時、便器に尿を溜め、上記筐体を手に持って上記センサ部を便器に溜まった尿に浸漬しても良い。たとえ予め便器に水が存在していて尿が薄まったとしても、尿が薄められること自体は、得られた演算結果（濃度比）には影響しない。
【００８３】
いずれにしても、この手持ちタイプの尿成分分析装置によれば、簡単な操作で演算結果が得られる。
【００８４】
一実施形態の尿成分分析装置では、
上記相関関係記憶部、データ入力部および演算部を、少なくとも搭載した筐体を備え、  上記筐体は、便器の周りまたは便器が設けられた室内に配置され、
上記センサ部は、上記便器内の空間に配置されていることを特徴とする。
【００８５】
この一実施形態の尿成分分析装置では、上記相関関係記憶部、データ入力部および演算部を、少なくとも搭載した筐体を備える。そして、上記筐体は、便器の周りまたは便器が設けられた室内に配置されている。また、上記センサ部は、上記便器内の空間に配置されている。したがって、便器据え付けタイプの尿成分分析装置が構成され得る。
【００８６】
例えば、この便器据え付けタイプの尿成分分析装置を使用する場合、ユーザとしての被測定者が排尿する時、上記便器内の空間で上記センサ部に尿が降りかかる状態にする。これにより、上記センサ部が、上記被測定者が排泄した尿に接触して、上記第１特定成分、第２特定成分の濃度に関するデータを取得する。この便器据え付けタイプの尿成分分析装置によれば、ユーザとしての被測定者は、紙コップなどの尿を溜める容器を用意する必要がない。
【００８７】
本明細書で、筐体が「便器の周り」に配置されているとは、筐体が便器またはその付属設備（水タンクなど）に取り付けられている場合や、筐体が便器またはその付属設備に一体に組み込まれている場合を含む。
【００８８】
一実施形態の尿成分分析装置では、
上記相関関係記憶部、データ入力部および演算部を、少なくとも搭載した筐体を備え、
上記データ入力部は、無線または有線の通信回線を介して、上記筐体の外部から上記第１特定成分、第２特定成分の濃度に関するデータを入力し、
上記演算部が算出した上記第１特定成分、第２特定成分間の濃度比を、無線または有線の通信回線を介して、上記筐体の外部へ出力する演算結果送信部が、上記筐体にさらに搭載されていることを特徴とする。
【００８９】
この一実施形態の尿成分分析装置では、上記相関関係記憶部、データ入力部および演算部を、少なくとも搭載した筐体を備えている。上記データ入力部は、無線または有線の通信回線を介して、上記筐体の外部から上記第１特定成分、第２特定成分の濃度に関するデータを入力する。上記演算部が算出した上記第１特定成分、第２特定成分間の濃度比を、無線または有線の通信回線を介して、上記筐体の外部へ出力する演算結果送信部が、上記筐体にさらに搭載されている。したがって、データの入力、演算結果の出力を無線または有線の通信回線を介して行うサーバタイプの尿成分分析装置が構成され得る。
【００９０】
例えば、このサーバタイプの尿成分分析装置を使用する場合、上記筐体から離れた遠隔地に居るユーザとしての被測定者が市販のセンサ等によって上記第１特定成分、第２特定成分の濃度に関するデータを取得する。このデータが、被測定者が操作する携帯電話またはパーソナルコンピュータから無線または有線の通信回線を介して、上記データ入力部によって入力される。この結果、上記演算部によって、上記被測定者が１日に排泄した全ての尿を１つに収集するものとしたときの上記１日の全尿中における上記第１特定成分、第２特定成分間の濃度比が算出される。上記演算部が算出した上記第１特定成分、第２特定成分間の濃度比は、上記演算結果送信部によって無線または有線の通信回線を介して、上記筐体から離れた遠隔地に居る被測定者の携帯電話またはパーソナルコンピュータへ向けて出力される。この結果、上記被測定者は、自身が居る場所で、上記携帯電話またはパーソナルコンピュータの表示画面を通して、上記演算部が算出した上記第１特定成分、第２特定成分間の濃度比を知ることができる。
【００９１】
このように、このサーバタイプの尿成分分析装置によれば、上記筐体から離れた遠隔地に居るユーザによる利用が容易になる。
【００９２】
一実施形態の尿成分分析装置では、上記被測定者を識別するための個人認証部を備えたことを特徴とする。
【００９３】
この一実施形態の尿成分分析装置では、上記被測定者を識別するための個人認証部を備える。したがって、上記被測定者に関する測定データを個人単位で区別することによって、この尿成分分析装置を複数の被測定者が共用することが可能になる。
【００９４】
【００９５】
【００９６】
一実施形態の尿成分分析装置では、
上記第１特定成分としてのナトリウムと上記第２特定成分としてのカリウムとの間の濃度比と、上記濃度比に応じた上記被測定者に対するアドバイスとを対応づけて記憶するアドバイステーブルと、
上記アドバイステーブルを参照して、上記演算部が算出した上記第１特定成分としてのナトリウムと上記第２特定成分としてのカリウムとの間の濃度比に応じたアドバイスを選択するアドバイス部を備えたことを特徴とする。
【００９７】
ここで、上記「アドバイス」は、例えば上記被測定者の高血圧に関するアドバイスとすることができる。
【００９８】
この一実施形態の尿成分分析装置では、上記第１特定成分としてのナトリウムと上記第２特定成分としてのカリウムとの間の濃度比と、上記濃度比に応じた上記被測定者に対するアドバイスとを対応づけて記憶するアドバイステーブルを備える。アドバイス部は、上記アドバイステーブルを参照して、上記演算部が算出した上記第１特定成分としてのナトリウムと上記第２特定成分としてのカリウムとの間の濃度比に応じたアドバイスを選択する。したがって、上記演算部によって得られた、上記第１特定成分としてのナトリウムと上記第２特定成分としてのカリウムとの間の濃度比（Ｎａ／Ｋ比）に応じて、例えば上記被測定者の高血圧に関するアドバイスが提供され得る。
【００９９】
この発明の尿成分分析方法は、
ヒトが排泄した１回の尿中における第１特定成分、第２特定成分間の濃度比と、上記ヒトが１日に排泄した全ての尿を１つに収集したときの上記１日の全尿中における第１特定成分、第２特定成分間の濃度比との間の相関関係を表すデータを、所定の記憶部に記憶させておき、上記第１特定成分はナトリウムであり、上記第２特定成分はカリウムであり、
被測定者が排泄した１回の尿中における上記第１特定成分、第２特定成分間の濃度比を表すデータをそれぞれ入力し、
入力された上記被測定者の上記１回の尿中における上記第１特定成分、第２特定成分間の濃度比に基づいて、上記記憶部に記憶された上記相関関係を用いて、上記被測定者が１日に排泄した全ての尿を１つに収集するものとしたときの上記１日の全尿中における上記第１特定成分、第２特定成分間の濃度比を換算して求めることを特徴とする。
【０１００】
この発明の尿成分分析方法では、被測定者が排泄した１回の尿中における第１特定成分、第２特定成分間の濃度比に基づいて、１日の全尿中における上記第１特定成分、第２特定成分間の濃度比を換算して求めているので、被測定者が排泄した尿の量を実際に計測する必要がない。また、被測定者が排泄した少なくとも１回の尿中における第１特定成分、第２特定成分間の濃度比が入力データとして得られれば、換算結果が得られる。したがって、この尿成分分析装置によれば、被測定者が排泄した１日の全尿中における２つの特定成分の間の濃度比を簡便に求めることができる。また、上記第１特定成分がナトリウムであり、上記第２特定成分がカリウムであり、したがって、上記演算部によって得られた、上記被測定者の１日の全尿中における上記第１特定成分、第２特定成分間の濃度比がＮａ／Ｋ比であれば、このＮａ／Ｋ比は、上記被測定者の高血圧に関する情報として用いることができる。
できる。
【０１０１】
別の局面では、この発明の尿成分分析方法は、
ヒトが排泄した尿中における第１特定成分、第２特定成分のそれぞれについて、上記ヒトが排泄した１回の尿中における濃度と、上記ヒトが１日に排泄した全ての尿を１つに収集したときの上記１日の全尿中における濃度との間の相関関係を表すデータを、所定の記憶部に記憶させておき、上記第１特定成分はナトリウムであり、上記第２特定成分はカリウムであり、
被測定者が排泄した１回の尿中における上記第１特定成分の濃度、上記第２特定成分の濃度を表すデータをそれぞれ入力し、
入力された上記被測定者の上記１回の尿中における上記第１特定成分の濃度、第２特定成分の濃度に基づいて、上記記憶部に記憶された上記相関関係を用いて、上記被測定者が１日に排泄した全ての尿を１つに収集するものとしたときの上記１日の全尿中における上記第１特定成分の濃度、上記第２特定成分の濃度をそれぞれ換算して求め、さらにそれらの換算結果に基づいて、上記被測定者の上記１日の全尿中における上記第１特定成分、第２特定成分間の濃度比を算出することを特徴とする。
【０１０２】
この発明の尿成分分析方法では、被測定者が排泄した１回の尿中における第１特定成分の濃度、第２特定成分の濃度に基づいて、１日の全尿中における上記第１特定成分の濃度、上記第２特定成分の濃度をそれぞれ換算して求めているので、被測定者が排泄した尿の量を実際に計測する必要がない。また、被測定者が排泄した少なくとも１回の尿中における第１特定成分の濃度、第２特定成分の濃度が入力データとして得られれば、換算結果が得られる。したがって、この尿成分分析装置によれば、被測定者が排泄した１日の全尿中における２つの特定成分の間の濃度比を簡便に求めることができる。また、上記第１特定成分がナトリウムであり、上記第２特定成分がカリウムであり、したがって、上記演算部によって得られた、上記被測定者の１日の全尿中における上記第１特定成分、第２特定成分間の濃度比がＮａ／Ｋ比であれば、このＮａ／Ｋ比は、上記被測定者の高血圧に関する情報として用いることができる。
【発明の効果】
【０１０３】
以上より明らかなように、この発明の尿成分分析装置および尿成分分析方法によれば、被測定者が排泄した１日の全尿中における２つの特定成分の間の濃度比を簡便に求めることができる。
【図面の簡単な説明】
【０１０４】
【図１】この発明の一実施形態の尿成分分析装置のブロック構成を示す図である。
【図２】図２（Ａ），（Ｂ），（Ｃ）は、それぞれ、上記尿成分分析装置が使用される態様を示す図である。図２（Ｄ）は、手持ちタイプの尿成分分析装置の好ましい形態を示す図である。
【図３】上記尿成分分析装置の動作フローの一例を示す図である。
【図４】上記尿成分分析装置の動作フローの別の例を示す図である。
【図５】図５（Ａ），（Ｂ）は、それぞれ、実測された１回の尿中のＮａ濃度と、実測された１日の全尿中のＮａ濃度との間の相関関係を示す図である。
【図６】図６（Ａ），（Ｂ）は、それぞれ、実測された１回の尿中のＫ濃度と、実測された１日の全尿中のＫ濃度との間の相関関係を示す図である。
【図７】図７（Ａ），（Ｂ）は、それぞれ、１回の尿を用いて換算により得られた１日の全尿中のＮａ／Ｋ比を、実測された１日の全尿中のＮａ／Ｋ比を用いて検証した結果を示す図である。
【図８】図８（Ａ），（Ｂ）は、それぞれ被測定者Ｎｏ．２、Ｎｏ．６について、１回の尿を用いて換算により得られた日ごとの全尿中のＮａ／Ｋ比を、実測された日ごとの全尿中のＮａ／Ｋ比を用いて検証した結果を示す図である。
【図９】図９（Ａ）は、２回（起床後１回目、２回目）の尿を用いて得られた平均Ｎａ濃度と、実測された１日の全尿中のＮａ濃度との間の相関関係を示す図である。図９（Ｂ）は、２回（起床後１回目、２回目）の尿を用いて得られた平均Ｋ濃度と、実測された１日の全尿中のＫ濃度との間の相関関係を示す図である。
【図１０】図１０（Ａ）は、２回（就寝直前、起床後１回目）の尿を用いて得られた平均Ｎａ濃度と、実測された１日の全尿中のＮａ濃度との間の相関関係を示す図である。図１０（Ｂ）は、２回（就寝直前、起床後１回目）の尿を用いて得られた平均Ｋ濃度と、実測された１日の全尿中のＫ濃度との間の相関関係を示す図である。
【図１１】図１１（Ａ），（Ｂ）は、それぞれ、２回の尿を用いて換算により得られた１日の全尿中のＮａ／Ｋ比を、実測された１日当たり全尿中のＮａ／Ｋ比を用いて検証した結果を示す図である。
【図１２】上記尿成分分析装置の動作フローのさらに別の例を示す図である。
【図１３】上記尿成分分析装置の動作フローのさらに別の例を示す図である。
【図１４】図１４（Ａ），（Ｂ）は、それぞれ、実測された１回の尿中のＮａ／Ｋ比と、実測された１日の全尿中のＮａ／Ｋ比との間の相関関係（指数関数で近似）を示す図である。
【図１５】図１５（Ａ），（Ｂ）は、それぞれ、１回の尿を用いて換算により得られた１日の全尿中のＮａ／Ｋ比を、実測された１日の全尿中のＮａ／Ｋ比を用いて検証した結果を示す図である。
【図１６】図１６（Ａ），（Ｂ）は、それぞれ被測定者Ｎｏ．２、Ｎｏ．６について、１回の尿を用いて換算により得られた日ごとの全尿中のＮａ／Ｋ比を、実測された日ごとの全尿中のＮａ／Ｋ比を用いて検証した結果を示す図である。
【図１７】図１７（Ａ）は、２回（起床後１回目、２回目）の尿を用いて得られた平均Ｎａ／Ｋ比と、実測された１日の全尿中のＮａ／Ｋ比との間の相関関係を示す図である。図１７（Ｂ）は、２回（就寝直前、起床後１回目）の尿を用いて得られた平均Ｎａ／Ｋ比と、実測された１日の全尿中のＮａ／Ｋ比との間の相関関係を示す図である。
【図１８】図１８（Ａ）は、実測された起床後１回目の尿中のＮａ／Ｋ比と、実測された１日の全尿中のＮａ／Ｋ比との間の相関関係を示す図である。図１８（Ｂ）は、２日間の起床後１回目の尿を用いて得られた平均Ｎａ／Ｋ比と、実測された２日間の全尿中のＮａ／Ｋ比との間の相関関係を示す図である。
【図１９】図１９（Ａ）は、３日間の起床後１回目の尿を用いて得られた平均Ｎａ／Ｋ比と、実測された３日間の全尿中のＮａ／Ｋ比との間の相関関係を示す図である。図１９（Ｂ）は、５日間の起床後１回目の尿を用いて得られた平均Ｎａ／Ｋ比と、実測された５日間の全尿中のＮａ／Ｋ比との間の相関関係を示す図である。
【図２０】７日間の起床後１回目の尿を用いて得られた平均Ｎａ／Ｋ比と、実測された７日間の全尿中のＮａ／Ｋ比との間の相関関係を示す図である。
【図２１】アドバイステーブルの内容の一例を示す図である。
【図２２】アドバイステーブルの内容の別の例を示す図である。
【図２３】１日当たり１回の尿中のＮａ／Ｋ比を最長７日間にわたって測定したときの、測定回数と相関係数との間の関係を示す図である。
【図２４】図２４（Ａ），（Ｂ）は、それぞれ１回分、２回分の随時尿を用いて換算により得られた１日の全尿中のＮａ／Ｋ比を、実測された１日の全尿中のＮａ／Ｋ比を用いて検証した結果を示す図である。
【図２５】図２５（Ａ），（Ｂ）は、それぞれ３回分、４回分の随時尿を用いて換算により得られた１日の全尿中のＮａ／Ｋ比を、実測された１日の全尿中のＮａ／Ｋ比を用いて検証した結果を示す図である。
【図２６】５回分の随時尿を用いて換算により得られた１日の全尿中のＮａ／Ｋ比を、実測された１日の全尿中のＮａ／Ｋ比を用いて検証した結果を示す図である。
【図２７】図２７（Ａ），（Ｂ）は、それぞれ５回分の尿として５日間の起床後１回目の尿、就寝直前の尿のみを用いて換算により得られた１日の全尿中のＮａ／Ｋ比を、実測された１日の全尿中のＮａ／Ｋ比と対応させた結果を示す図である。
【図２８】同じ日に排泄された複数回の尿のみを用いて換算により得られた１日の全尿中のＮａ／Ｋ比を、実測された１日の全尿中のＮａ／Ｋ比と対応させた結果を示す図である。
【図２９】図１の尿成分分析装置の変形例であって、複数回の尿の測定データを用いてＮａ／Ｋ比の換算結果を得るのに適した尿成分分析装置のブロック構成を示す図である。
【図３０】図２９の尿成分分析装置による排尿履歴の表示と排尿推奨日時の決定および報知に関する動作フローを示す図である。
【図３１】図２９の尿成分分析装置による排尿推奨日時の報知に関する動作フローを示す図である。
【図３２】図３２（Ａ），（Ｂ）は、それぞれ被測定者の排尿の履歴をヒストグラムによって表示する表示例を示す図である。
【図３３】図２９の尿成分分析装置において、過去の測定データがない場合に排尿推奨日時を決定する仕方の一例を模式的に示す図である。
【図３４】図２９の尿成分分析装置において、過去の測定データがない場合に排尿推奨日時を決定する仕方の別の例を模式的に示す図である。
【図３５】図３５（Ａ），（Ｂ）は、この発明の別の実施形態の尿成分分析装置の態様を示す図である
【図３６】この発明の別の実施形態の尿成分分析装置のブロック構成を示す図である。
【発明を実施するための形態】
【０１０５】
以下、この発明を図示の実施の形態により詳細に説明する。
【０１０６】
（第１実施形態）
図１は、この発明の一実施形態の尿成分分析装置（全体を符号９０で示す。）のブロック構成を示している。
【０１０７】
この尿成分分析装置９０は、筐体１０と、この筐体１０に搭載されて収容された制御部１１、データ入力部１２、操作部１３、記憶部１４、および、表示部１８を備えている。また、この尿成分分析装置９０は、筐体１０から外部へ突出した態様で筐体１０に取り付けられたセンサ部３０を備えている。
【０１０８】
筐体１０は、この例では図２（Ａ）中に示すように、ユーザの手で把持されるべき細長い角柱状の外形を有している。センサ部３０は、筐体１０の一端に取り付けられた細長い棒状の外形を有している。この結果、この尿成分分析装置９０は、ユーザが筐体１０を手に持って使用する手持ちタイプの尿成分分析装置として構成されている。
【０１０９】
センサ部３０は、公知のものであり、被測定者が排泄した尿９９に接触して、尿中の２つの特定成分（第１特定成分、第２特定成分）の濃度に関するデータを取得する。この例では、第１特定成分、第２特定成分は、それぞれナトリウム（Ｎａ）、カリウム（Ｋ）であるものとする。この例では、センサ部３０は、１回の尿９９中のＮａ濃度、Ｋ濃度を表すデータをそれぞれ取得することもできるし、ＮａとＫとの間の濃度比（これを「Ｎａ／Ｋ比」と呼ぶ。）を取得することもできる。
【０１１０】
例えば、この手持ちタイプの尿成分分析装置９０を使用する場合、ユーザとしての被測定者が排尿する時、筐体１０を手に持って、図２（Ａ）に示すように、センサ部３０に尿が降りかかる状態にする。これにより、センサ部３０が、被測定者が排泄した尿に接触して、Ｎａ濃度、Ｋ濃度に関するデータを取得することができる。
【０１１１】
または、ユーザとしての被測定者が排尿する時、図２（Ｂ）に示すように、１回の尿９９の一部を使い捨ての紙コップ９７に採取し、筐体１０を手に持ってセンサ部３０を紙コップ９７内の尿９９に浸漬しても良い。
【０１１２】
または、ユーザとしての被測定者が排尿する時、１回の尿の一部をトイレットペーパ（図示せず）にしみ込ませ、筐体１０を手に持ってセンサ部３０をそのトイレットペーパにしみ込んだ尿に接触させても良い。
【０１１３】
または、ユーザとしての被測定者が排尿する時、図２（Ｃ）に示すように、便器９８に尿９９を溜め、筐体１０を手に持ってセンサ部３０を便器に溜まった尿に浸漬しても良い。たとえ予め便器９８に水が存在していて尿９９が薄まったとしても、尿９９が薄められること自体は、得られた演算結果（濃度比）には影響しない。
【０１１４】
いずれにしても、この手持ちタイプの尿成分分析装置によれば、簡単な操作で後述の演算結果が得られる。
【０１１５】
なお、図２（Ｄ）に示すように、センサ部３０は、筐体１０との間に、ユーザとしての被測定者によって力を加えられると塑性変形して曲がった状態になるフレキシブルな延長部３１を有するのが望ましい。この延長部３０を曲げておくことにより、ユーザとしての被測定者は、排尿時に楽な姿勢でセンサ部３０に尿を降りかけることができる。
【０１１６】
図１中に示した制御部１１は、ソフトウェアによって動作するＣＰＵ（中央演算処理ユニット）を含み、演算部等として働いて後述の各種処理を実行する。
【０１１７】
データ入力部１２は、センサ部３０が取得した尿中の２つの特定成分（第１特定成分、第２特定成分）の濃度に関するデータを、この例ではリアルタイムで入力する。
【０１１８】
操作部１３は、図２（Ａ）中に示すスクロールボタン１３Ａを含み、ユーザからの各種情報を入力するために働く。入力される情報としては、測定される尿が、起床後１回目の尿、起床後２回目の尿、就寝直前の尿などのうちのいずれの尿であるかを表す尿指定情報や、被測定者の血圧・ＢＭＩ（ボディマス指数）を表す情報などが含まれる。尿指定情報を入力するとき、操作部１３は尿指定部として働く。
【０１１９】
記憶部１４は、この例ではＥＥＰＲＯＭ（電気的に書き換え可能な不揮発性メモリ）からなり、相関関係記憶部１５、演算結果記憶部１６、およびアドバイステーブル１７を含んでいる。
【０１２０】
相関関係記憶部１５は、例えば図５（Ａ），（Ｂ）に示すように、実測された１回の尿中のＮａ濃度と、実測された１日の全尿中のＮａ濃度との間の相関関係を表すデータを記憶している（図中の点がそれぞれ実測データを示す。）。具体的には、図５（Ａ）は、実測された起床後１回目の尿中のＮａ濃度（横軸ｘ、単位［ｍｍｏｌ／Ｌ］とする。）と、実測された１日の全尿中のＮａ濃度（縦軸ｙ、単位［ｍｍｏｌ／Ｌ］とする。）との間の関係を直線（図５（Ａ）中に実線で示す。）で近似し、相関関係を表すデータとしてその直線の式を記憶する場合を示している。この場合、相関係数がｒ＝０．７７であり、高い相関関係があることを示している。図５（Ｂ）は、実測された起床後２回目の尿中のＮａ濃度（横軸ｘ、単位［ｍｍｏｌ／Ｌ］とする。）と、実測された１日の全尿中のＮａ濃度（縦軸ｙ、単位［ｍｍｏｌ／Ｌ］とする。）との間の関係も同様に直線（図５（Ｂ）中に実線で示す。）で近似し、相関関係を表すデータとしてその直線の式を記憶する場合を示している。この場合、相関係数がｒ＝０．８０であることを示している。
【０１２１】
また、相関関係記憶部１５は、図６（Ａ），（Ｂ）に示すように、実測された１回の尿中のＫ濃度と、実測された１日の全尿中のＫ濃度との間の相関関係を記憶している（図中の点がそれぞれ実測データを示す。）。具体的には、図６（Ａ）は、実測された起床後１回目の尿中のＫ濃度（横軸ｘ、単位［ｍｍｏｌ／Ｌ］とする。）と、実測された１日の全尿中のＫ濃度（縦軸ｙ、単位［ｍｍｏｌ／Ｌ］とする。）との間の関係を直線（図６（Ａ）中に実線で示す。）で近似し、相関関係を表すデータとしてその直線の式を記憶する場合を示している。この場合、相関係数がｒ＝０．５５であることを示している。図６（Ｂ）は、実測された起床後２回目の尿中のＫ濃度（横軸ｘ、単位［ｍｍｏｌ／Ｌ］とする。）と、実測された１日の全尿中のＫ濃度（縦軸ｙ、単位［ｍｍｏｌ／Ｌ］とする。）との間の関係も同様に直線（図６（Ｂ）中に実線で示す。）で近似し、相関関係を表すデータとしてその直線の式を記憶する場合を示している。この場合、相関係数がｒ＝０．７３であることを示している。
【０１２２】
なお、相関関係を表すデータとして直線近似の式を記憶する場合を一例として説明したが、これに限られるものではない。相関関係記憶部１５は、その他の関数や、換算データベースなどを記憶しておいても良い。
【０１２３】
また、実測された被測定者の全尿中のＮａ濃度、Ｋ濃度および後述のＮａ／Ｋ比は、その被測定者が排泄した全ての尿を１つに収集して測定されている（蓄尿法。以下同様。）。
【０１２４】
アドバイステーブル１７は、例えば図２１に示すように、Ｎａ／Ｋ比と、Ｎａ／Ｋ比に応じた被測定者に対するアドバイスとを対応づけて記憶している。例えばＮａ／Ｋ比が０．０−１．０の範囲内であれば、「理想的な値です」というアドバイスが対応している。Ｎａ／Ｋ比が１．０−２．０の範囲内であれば、「目標が達成できています」というアドバイスが対応している。Ｎａ／Ｋ比が２．０−２．５の範囲内であれば、「あと少しで目標達成です」というアドバイスが対応している。Ｎａ／Ｋ比が２．５−３．０の範囲内であれば、「数値が高いので食生活に気をつけましょう。」というアドバイスが対応している。Ｎａ／Ｋ比が３．０以上であれば、「数値が高過ぎです。食生活に十分注意しましょう。」というアドバイスが対応している。なお、アドバイステーブル１７内のＮａ／Ｋ比の数値範囲の区分は一例であり、数値範囲の区分を変更した設定も可能である。
【０１２５】
図１中に示す演算結果記憶部１６は、制御部１１による演算結果（後述の被測定者の１日の全尿中におけるＮａ／Ｋ比）を、それぞれ測定日時と対応づけて、順次記憶する。例えば、ユーザは、この演算結果記憶部の内容を読み出すことによって、ユーザは、被測定者の１日の全尿中におけるＮａ／Ｋ比の、日ごとの変化の傾向を、容易に知ることができる。
【０１２６】
表示部１８は、この例ではＬＣＤ（液晶表示素子）（図２（Ａ）参照）からなり、制御部１１による演算結果などの各種情報を表示する。
【０１２７】
この尿成分分析装置９０は、制御部１１による制御によって、全体として例えば図３に示すフローに従って動作する。
【０１２８】
ｉ）  まず、図３中のステップＳ１０１に示すように、例えばユーザが図示しない電源スイッチをオンすると、まず尿指定モードに入る。
【０１２９】
この例では、尿指定モードでは、制御部１１が尿指定部として働いて、表示部１８に「起床後１回目の尿」、「起床後２回目の尿」、「就寝直前の尿」などの選択肢を表示させる。これらの選択肢が表示されているとき、ユーザがスクロールボタン１３Ａを回転させると、「起床後１回目の尿」、「起床後２回目の尿」、「就寝直前の尿」などの選択肢が順次選択候補として強調表示される。例えば「起床後１回目の尿」が強調表示されている状態で、ユーザがスクロールボタン１３Ａを押すと、測定される尿が「起床後１回目の尿」であることが入力される。このようにして、ユーザは、操作部１３を介して、測定される尿が、起床後１回目の尿、起床後２回目の尿、就寝直前の尿などのうちのいずれの尿であるかを表す尿指定情報を入力する。尿指定情報の入力が完了すると、尿測定モードに入る。
【０１３０】
なお、測定される尿が例えば常に「起床後１回目の尿」に限られている場合は、この尿指定モード（ステップＳ１０１）をスキップすることが可能である。
【０１３１】
ii）  次に、尿測定モードでは、例えば図２（Ａ）中に示すように、ユーザがセンサ部３０に尿９９を降りかけて、スクロールボタン１３Ａを押す。すると、図３中のステップＳ１０２に示すように、この例ではセンサ部３０がその１回の尿９９中のＮａ濃度、Ｋ濃度を表すデータをそれぞれ取得し、データ入力部１２がそれらのＮａ濃度、Ｋ濃度を表すデータをそれぞれリアルタイムで入力する。
【０１３２】
このデータ入力が完了すると、演算モードに入る。
【０１３３】
iii）  次に、演算モードでは、図３中のステップＳ１０３に示すように、制御部１１が演算部として働いて、データ入力部１２を介して得られた被測定者の１回の尿９９中におけるＮａ濃度、Ｋ濃度に基づいて、相関関係記憶部１５に記憶された相関関係（この例では、図５（Ａ）、図６（Ａ）に示したもの）を用いて、被測定者が１日に排泄した全ての尿を１つに収集するものとしたときの１日の全尿中におけるＮａ濃度、Ｋ濃度をそれぞれ換算して求める。
【０１３４】
なお、換算の対象が「起床後２回目の尿」のものであれば、それに応じて、図５（Ｂ）、図６（Ｂ）に示した相関関係を用いることになる。
【０１３５】
iv）  さらに、図３中のステップＳ１０４に示すように、制御部１１が演算部として働いて、それらの換算結果に基づいて、被測定者が１日に排泄した全ての尿を１つに収集するものとしたときの１日の全尿中におけるＮａ／Ｋ比を算出する。
【０１３６】
ｖ）  そして、ステップＳ１０５に示すように、この換算により得られたＮａ／Ｋ比を、測定日時と対応づけて、演算結果記憶部１６に記憶させる。これとともに、制御部１１が演算結果報知部として働いて、この換算により得られたＮａ／Ｋ比を、表示部１８に表示させる。
【０１３７】
vi）  また、ステップＳ１０６に示すように、制御部１１がアドバイス部として働いてアドバイステーブル１７（図２１）を参照して、上記換算により得られたＮａ／Ｋ比とともに、この換算により得られたＮａ／Ｋ比に応じたアドバイスを選択して、表示部１８に表示させる。
【０１３８】
例えばＮａ／Ｋ比が０．５であれば、その数値と「理想的な値です」というアドバイスとを表示させる。
【０１３９】
このようにした場合、被測定者が排泄した１回の尿中におけるＮａ濃度、Ｋ濃度に基づいて、１日の全尿中におけるＮａ濃度、Ｋ濃度をそれぞれ換算して求めているので、被測定者が排泄した尿の量を実際に計測する必要がない。また、被測定者が排泄した少なくとも１回の尿中におけるＮａ濃度、Ｋ濃度が入力データとして得られれば、換算結果が得られる。したがって、この尿成分分析装置９０によれば、被測定者が排泄した１日の全尿中におけるＮａ／Ｋ比を簡便に求めることができる。
【０１４０】
図７（Ａ），（Ｂ）は、それぞれ、上述のように１回の尿を用いて換算により得られた１日の全尿中のＮａ／Ｋ比を、実測された１日の全尿中のＮａ／Ｋ比を用いて検証した結果を示している（複数の被測定者の結果を含む。）。具体的には、図７（Ａ）は、起床後１回目の尿を用いて換算により得られた１日の全尿中のＮａ／Ｋ比（横軸）と、実測された１日の全尿中のＮａ／Ｋ比（縦軸）とを対応させて、相関係数を求めたときの結果を示している。このとき相関係数はｒ＝０．６５であった。図７（Ｂ）は、起床後２回目の尿を用いて換算により得られた１日の全尿中のＮａ／Ｋ比（横軸）と、実測された１日の全尿中のＮａ／Ｋ比（縦軸）とを対応させて、相関係数を求めたときの結果を示している。このとき相関係数はｒ＝０．８４であった。
【０１４１】
また、図８（Ａ）は、被測定者Ｎｏ．２について、１回（起床後１回目）の尿を用いて換算により得られた日ごとの全尿中のＮａ／Ｋ比（図中の破線で結んだデータ）を、実測された日ごとの全尿中のＮａ／Ｋ比（図中の実線で結んだデータ）を用いて検証した結果を示している。図８（Ｂ）は、被測定者Ｎｏ．６について、１回（起床後１回目）の尿を用いて換算により得られた日ごとの全尿中のＮａ／Ｋ比（図中の破線で結んだデータ）を、実測された日ごとの全尿中のＮａ／Ｋ比（図中の実線で結んだデータ）を用いて検証した結果を示している。
【０１４２】
これらの図７（Ａ），（Ｂ）、図８（Ａ），（Ｂ）の検証結果で、換算値と実測値との間に高い相関（相関係数）が得られている。これにより、被測定者が排泄した１日の全尿中におけるＮａ／Ｋ比を精度良く求めることができることが分かった。
【０１４３】
なお、上記電源スイッチのオンに続いて、例えばユーザがスクロールボタン１３Ａを３秒間以上押し続けると、制御部１１が表示部１８に「尿指定」、「血圧」、「ＢＭＩ」などの、いずれの情報を入力するかの選択肢を表示させるようにしても良い。これらの選択肢が表示されているとき、ユーザがスクロールボタン１３Ａを回転させると、「尿指定」、「血圧」、「ＢＭＩ」などの選択肢が順次選択候補として強調表示されるものとする。例えば「血圧」が強調表示されている状態で、ユーザがスクロールボタン１３Ａを押すと、「血圧」を入力するモードに入る。「血圧」を入力するモードでは、ユーザがスクロールボタン１３Ａを回転させると、血圧（最高血圧または最低血圧）の入力候補を示す値が上昇または下降して表示部１８に表示される。ユーザがスクロールボタン１３Ａを押すと、その時に表示されている値が被測定者の血圧（最高血圧または最低血圧）として入力される。ＢＭＩも、血圧と同様の仕方で、入力することが可能である。
【０１４４】
その場合、図２２に示すように、アドバイステーブル１７に、Ｎａ／Ｋ比だけでなく、血圧、ＢＭＩにも応じたアドバイスを記憶させておけば、被測定者に対してより適切なアドバイスを提供できる。図２２の例では、Ｎａ／Ｋ比の範囲「０．０−１．０」、「１．０−２．０」、「２．０−２．５」、「２．５−３．０」、「３．０以上」のそれぞれに対して、最高血圧／最低血圧が「１３５／８５ｍｍＨｇ未満」かつＢＭＩが「２５未満」の場合と、最高血圧／最低血圧が「１３５／８５ｍｍＨｇ以上」かつＢＭＩが「２５以上」の場合と、最高血圧／最低血圧が「１３５／８５ｍｍＨｇ以上」かつＢＭＩが「２５未満」の場合とに分けて、アドバイスが記憶されている。
【０１４５】
例えば、Ｎａ／Ｋ比の範囲が「１．０−２．０」で、最高血圧／最低血圧が「１３５／８５ｍｍＨｇ以上」かつＢＭＩが「２５以上」の場合については、「Ｎａ／Ｋ比は目標達成です。減量／運動・服薬も行って下さい。」というアドバイスが記憶されている。
【０１４６】
また、Ｎａ／Ｋ比の範囲が「３．０以上」で、最高血圧／最低血圧が「１３５／８５ｍｍＨｇ以上」かつＢＭＩが「２５以上」の場合については、「Ｎａ／Ｋ比が高過ぎです。食生活に十分注意しましょう。減量／運動・服薬も行って下さい。」というアドバイスが記憶されている。
【０１４７】
このようなアドバイステーブルを備えた場合、被測定者に対してきめ細かい、より適切なアドバイスを提供することが可能となる。
【０１４８】
（第２実施形態）
上述の第１実施形態では、被測定者が排泄した１回の尿中におけるＮａ濃度、Ｋ濃度に基づいて、１日の全尿中におけるＮａ濃度、Ｋ濃度をそれぞれ換算して求めたが、それに限られるものではない。被測定者が１日または複数日にわたって排泄した複数回（この例では、２回）の尿中におけるＮａ濃度、Ｋ濃度に基づいて、１日の全尿中におけるＮａ濃度、Ｋ濃度をそれぞれ換算して求めても良い。
【０１４９】
この場合、相関関係記憶部１５に、例えば図９（Ａ）に示すように、２回（起床後１回目、２回目）の尿を用いて得られた平均Ｎａ濃度と、実測された１日の全尿中のＮａ濃度との間の相関関係を表すデータを記憶させておく。これとともに、図９（Ｂ）に示すように、２回（起床後１回目、２回目）の尿を用いて得られた平均Ｋ濃度と、実測された１日の全尿中のＫ濃度との間の相関関係を記憶させておく。
【０１５０】
具体的には、図９（Ａ）は、実測された起床後１回目の尿中のＮａ濃度と実測された起床後２回目の尿中のＮａ濃度とを平均して得られた平均Ｎａ濃度（横軸ｘ、単位［ｍｍｏｌ／Ｌ］とする。）と、実測された１日の全尿中のＮａ濃度（縦軸ｙ、単位［ｍｍｏｌ／Ｌ］とする。）との間の関係を直線（図９（Ａ）中に実線で示す。）で近似し、相関関係を表すデータとしてその直線の式を記憶する場合を示している。この場合、相関係数がｒ＝０．８２であり、高い相関関係があることを示している。図９（Ｂ）は、実測された起床後１回目の尿中のＫ濃度と実測された起床後２回目の尿中のＫ濃度とを平均して得られた平均Ｋ濃度（横軸ｘ、単位［ｍｍｏｌ／Ｌ］とする。）と、実測された１日の全尿中のＫ濃度（縦軸ｙ、単位［ｍｍｏｌ／Ｌ］とする。）との間の関係も同様に直線（図９（Ｂ）中に実線で示す。）で近似し、相関関係を表すデータとしてその直線の式を記憶する場合を示している。この場合、相関係数がｒ＝０．７８であることを示している。
【０１５１】
または、図９（Ａ），（Ｂ）の相関関係に代えて、もしくは図９（Ａ），（Ｂ）の相関関係に加えて、例えば図１０（Ａ）に示すように、２回（就寝直前、起床後１回目）の尿を用いて得られた平均Ｎａ濃度と、実測された１日の全尿中のＮａ濃度との間の相関関係を記憶させておく。これとともに、図１０（Ｂ）に示すように、２回（就寝直前、起床後１回目）の尿を用いて得られた平均Ｋ濃度と、実測された１日の全尿中のＫ濃度との間の相関関係を記憶させておく。
【０１５２】
具体的には、図１０（Ａ）は、実測された就寝直前の尿中のＮａ濃度と実測された起床後１回目の尿中のＮａ濃度とを平均して得られた平均Ｎａ濃度（横軸ｘ、単位［ｍｍｏｌ／Ｌ］とする。）と、実測された１日の全尿中のＮａ濃度（縦軸ｙ、単位［ｍｍｏｌ／Ｌ］とする。）との間の関係を直線（図１０（Ａ）中に実線で示す。）で近似し、相関関係を表すデータとしてその直線の式を記憶する場合を示している。この場合、相関係数がｒ＝０．８３であることを示している。図１０（Ｂ）は、実測された就寝直前の尿中のＫ濃度と実測された起床後１回目の尿中のＫ濃度とを平均して得られた平均Ｋ濃度（横軸ｘ、単位［ｍｍｏｌ／Ｌ］とする。）と、実測された１日の全尿中のＫ濃度（縦軸ｙ、単位［ｍｍｏｌ／Ｌ］とする。）との間の関係も同様に直線（図１０（Ｂ）中に実線で示す。）で近似し、相関関係を表すデータとしてその直線の式を記憶する場合を示している。この場合、相関係数がｒ＝０．７５であることを示している。
【０１５３】
この場合、この尿成分分析装置９０は、制御部１１による制御によって、全体として図４に示すフローに従って動作する。
【０１５４】
ｉ）  まず、図４中のステップＳ２０１に示すように、例えばユーザが図示しない電源スイッチをオンすると、まず１回目の尿指定モードに入る。
【０１５５】
この例では、１回目の尿指定モードでは、ユーザは、操作部１３を介して、測定される尿が、就寝直前の尿であることを表す尿指定情報を入力するものとする。尿指定情報の入力が完了すると、１回目の尿測定モードに入る。
【０１５６】
ii）  １回目の尿測定モードでは、例えば図２（Ａ）中に示すように、ユーザがセンサ部３０に尿９９を降りかけて、スクロールボタン１３Ａを押す。すると、図４中のステップＳ２０２に示すように、この例ではセンサ部３０がその１回の尿９９中のＮａ濃度、Ｋ濃度を表すデータをそれぞれ取得し、データ入力部１２がそれらのＮａ濃度、Ｋ濃度を表すデータをそれぞれリアルタイムで入力する。
【０１５７】
この例では、ここで演算モードには入らず、ユーザが図示しない電源スイッチをオフするものとする。なお、既に入力されたＮａ／Ｋ比は、記憶部１４に記憶しておくものとする。
【０１５８】
iii）  次に、図４中のステップＳ２０３に示すように、ユーザが図示しない電源スイッチをオンすると、２回目の尿指定モードに入る。
【０１５９】
この例では、２回目の尿指定モードでは、ユーザは、操作部１３を介して、測定される尿が、起床後１回目の尿であることを表す尿指定情報を入力するものとする。尿指定情報の入力が完了すると、２回目の尿測定モードに入る。
【０１６０】
iv）  ２回目の尿測定モードでは、再び図２（Ａ）中に示すように、ユーザがセンサ部３０に尿９９を降りかけて、スクロールボタン１３Ａを押す。すると、図４中のステップＳ２０４に示すように、この例ではセンサ部３０がその１回の尿９９中のＮａ濃度、Ｋ濃度を表すデータをそれぞれ取得し、データ入力部１２がそれらのＮａ濃度、Ｋ濃度を表すデータをそれぞれリアルタイムで入力する。
【０１６１】
この２回目のデータ入力が完了すると、演算モードに入る。
【０１６２】
ｖ）  演算モードでは、図４中のステップＳ２０５に示すように、制御部１１が演算部として働いて、Ｎａ、Ｋのそれぞれについて、被測定者が排泄した２回（この例では、就寝直前と起床後１回目）の尿中における濃度を平均して平均濃度を求める。つまり、実測された就寝直前の尿中のＮａ濃度と実測された起床後１回目の尿中のＮａ濃度とを平均して、平均Ｎａ濃度を得る。これとともに、実測された就寝直前の尿中のＫ濃度と実測された起床後１回目の尿中のＫ濃度とを平均して、平均Ｋ濃度を得る。これらの平均Ｎａ濃度、平均Ｋ濃度が換算の対象となる。
【０１６３】
vi）  次に、図４中のステップＳ２０６に示すように、制御部１１が演算部として働いて、得られた平均Ｎａ濃度、平均Ｋ濃度に基づいて、相関関係記憶部１５に記憶された相関関係（この例では、図１０（Ａ），（Ｂ）に示したもの）を用いて、被測定者が１日に排泄した全ての尿を１つに収集するものとしたときの１日の全尿中におけるＮａ濃度、Ｋ濃度をそれぞれ換算して求める。
【０１６４】
なお、換算の対象が「起床後１回目の尿」と「起床後２回目の尿」のものであれば、それに応じて、図９（Ａ），（Ｂ）に示した相関関係を用いることになる。
【０１６５】
vii）  さらに、図４中のステップＳ２０７に示すように、制御部１１が演算部として働いて、それらの換算結果に基づいて、被測定者が１日に排泄した全ての尿を１つに収集するものとしたときの１日の全尿中におけるＮａ／Ｋ比を算出する。
【０１６６】
viii）  そして、ステップＳ２０８に示すように、この換算により得られたＮａ／Ｋ比を、測定日時と対応づけて、演算結果記憶部１６に記憶させる。これとともに、制御部１１が演算結果報知部として働いて、この換算により得られたＮａ／Ｋ比を、表示部１８に表示させる。
【０１６７】
ix）  また、ステップＳ２０９に示すように、制御部１１がアドバイス部として働いてアドバイステーブル１７（図２１または図２２）を参照して、上記換算により得られたＮａ／Ｋ比とともに、この換算により得られたＮａ／Ｋ比に応じたアドバイスを選択して、表示部１８に表示させる。
【０１６８】
図１１（Ａ），（Ｂ）は、それぞれ、上述のように２回の尿を用いて換算により得られた１日の全尿中のＮａ／Ｋ比を、実測された１日当たり全尿中のＮａ／Ｋ比を用いて検証した結果を示している（複数の被測定者の結果を含む。）。具体的には、図１１（Ａ）は、起床後１回目、２回目の尿を用いて換算により得られた１日の全尿中のＮａ／Ｋ比（横軸）と、実測された１日の全尿中のＮａ／Ｋ比（縦軸）とを対応させて、相関係数を求めたときの結果を示している。このとき相関係数はｒ＝０．７７であった。図１１（Ｂ）は、就寝直前、起床後１回目の尿を用いて換算により得られた１日の全尿中のＮａ／Ｋ比（横軸）と、実測された１日の全尿中のＮａ／Ｋ比（縦軸）とを対応させて、相関係数を求めたときの結果を示している。このとき相関係数はｒ＝０．７４であった。
【０１６９】
これらの図１１（Ａ），（Ｂ）の検証結果で、換算値と実測値との間に高い相関（相関係数）が得られている。これにより、被測定者が排泄した１日の全尿中におけるＮａ／Ｋ比を精度良く求めることができることが分かった。
【０１７０】
なお、１回または２回の尿中におけるＮａ濃度、Ｋ濃度または平均Ｎａ濃度、平均Ｋ濃度を換算の対象とする場合、いずれを用いるかについては、換算の精度と、被測定者による尿計測実施の容易さとを考慮して決定するのが望ましい。換算の精度の順は、概ね、第１位が「起床後１回目の尿」と「起床後２回目の尿」との組み合わせ、第２位が「就寝直前の尿」と「起床後１回目の尿」との組み合わせ、第３位が「起床後２回目の尿」、第４位が「起床後１回の尿」という順になる（第１位と第２位とは、ほぼ同じ精度である。）。被測定者が起床後１回目の尿のＮａ濃度、Ｋ濃度を自宅で計測した後、直ちに出勤する場合、出勤先で「起床後２回目の尿」のＮａ濃度、Ｋ濃度を計測するのは、実際問題として難しい。したがって、その場合は、第２位の「就寝直前の尿」と「起床後１回目の尿」との組み合わせを用いるのが望ましい。
【０１７１】
また、相関関係記憶部１５に記憶された相関関係の基準となる「実測された１日の全尿中のＮａ濃度」、「実測された１日の全尿中のＫ濃度」は、それぞれ、ヒトが１日または複数日にわたって排泄した全ての尿を１つに収集したときの上記１日または複数日の全尿中における濃度として求めることができる。その場合、求められた濃度は、各日の尿量や排尿回数に影響されることがない。また、上記相関関係の基準となる「実測された１日の全尿中のＮａ濃度」、「実測された１日の全尿中のＫ濃度」は、それぞれ、ヒトが排泄した尿について１日当たりの濃度の平均値を求め、さらに上記１日当たりの濃度の平均値を複数日にわたって平均して求めても良い。この場合、ヒトが上記複数日にわたって排泄した全ての尿を１つに収集する必要がなく、１日毎に尿を収集して、１日当たりの濃度の平均値を求めてゆけば良い。したがって、上記相関関係を容易に取得できる。
【０１７２】
（第３実施形態）
上述の第１、第２実施形態では、被測定者が排泄した尿中におけるＮａ濃度、Ｋ濃度に基づいて、１日の全尿中におけるＮａ濃度、Ｋ濃度をそれぞれ換算して求め、それからＮａ／Ｋ比を求めたが、それに限られるものではない。演算部としての制御部１１は、被測定者が排泄した尿中におけるＮａ／Ｋ比を換算の対象としても良い。
【０１７３】
この場合、相関関係記憶部１５に、例えば図１４（Ａ），（Ｂ）に示すように、ヒトが排泄した１回の尿中におけるＮａ／Ｋ比と、ヒトが１日に排泄した全ての尿を１つに収集したときの１日の全尿中におけるＮａ／Ｋ比との間の相関関係を表すデータを記憶させておく。
【０１７４】
具体的には、図１４（Ａ）は、実測された起床後１回目の尿中のＮａ／Ｋ比（横軸ｘとする。）と、実測された１日の全尿中のＮａ／Ｋ比（縦軸ｙとする。）との間の関係を指数関数（図１４（Ａ）中に実線で示す。）で近似し、相関関係を表すデータとしてその指数関数の式を記憶する場合を示している。この場合、相関係数がｒ＝０．６０であることを示している。図１４（Ｂ）は、実測された起床後２回目の尿中のＮａ／Ｋ比（横軸ｘとする。）と、実測された１日の全尿中のＮａ／Ｋ比（縦軸ｙとする。）との間の関係も同様に指数関数（図１４（Ｂ）中に実線で示す。）で近似し、相関関係を表すデータとしてその指数関数の式を記憶する場合を示している。この場合、相関係数がｒ＝０．８８であることを示している。
【０１７５】
また、センサ部３０は被測定者が排泄した１回または複数回の尿中におけるＮａ／Ｋ比を直接取得し、データ入力部１２はそのＮａ／Ｋ比を表すデータをリアルタイムで入力するものとする。
【０１７６】
この尿成分分析装置９０は、制御部１１による制御によって、全体として例えば図１２に示すフローに従って動作する。
【０１７７】
ｉ）  まず、図１２中のステップＳ３０１に示すように、例えばユーザが図示しない電源スイッチをオンすると、まず尿指定モードに入る。
【０１７８】
この例では、尿指定モードでは、ユーザは、操作部１３を介して、測定される尿が、起床後１回目の尿であることを表す尿指定情報を入力するものとする。尿指定情報の入力が完了すると、尿測定モードに入る。
【０１７９】
なお、測定される尿が例えば常に「起床後１回目の尿」に限られている場合は、この尿指定モード（ステップＳ３０１）をスキップすることが可能である。
【０１８０】
ii）  次に、尿測定モードでは、例えば図２（Ａ）中に示すように、ユーザがセンサ部３０に尿９９を降りかけて、スクロールボタン１３Ａを押す。すると、図１２中のステップＳ３０２に示すように、この例ではセンサ部３０がその１回の尿９９中のＮａ／Ｋ比を表すデータを取得し、データ入力部１２がそのＮａ／Ｋ比を表すデータをリアルタイムで入力する。
【０１８１】
このデータ入力が完了すると、演算モードに入る。
【０１８２】
iii）  次に、演算モードでは、図１２中のステップＳ３０３に示すように、制御部１１が演算部として働いて、データ入力部１２を介して得られた被測定者の１回の尿９９中におけるＮａ／Ｋ比に基づいて、相関関係記憶部１５に記憶された相関関係（この例では、図１４（Ａ）に示したもの）を用いて、被測定者が１日に排泄した全ての尿を１つに収集するものとしたときの１日の全尿中におけるＮａ／Ｋ比を換算して求める。
【０１８３】
なお、換算の対象が「起床後２回目の尿」のものであれば、それに応じて、図１４（Ｂ）に示した相関関係を用いることになる。
【０１８４】
iv）  そして、図１２中のステップＳ３０４に示すように、この換算により得られたＮａ／Ｋ比を、測定日時と対応づけて、演算結果記憶部１６に記憶させる。これとともに、制御部１１が演算結果報知部として働いて、この換算により得られたＮａ／Ｋ比を、表示部１８に表示させる。
【０１８５】
ｖ）  また、ステップＳ３０５に示すように、制御部１１がアドバイス部として働いてアドバイステーブル１７（図２１または図２２）を参照して、上記換算により得られたＮａ／Ｋ比とともに、この換算により得られたＮａ／Ｋ比に応じたアドバイスを選択して、表示部１８に表示させる。
【０１８６】
このようにした場合、被測定者が排泄した１回の尿中におけるＮａ／Ｋ比に基づいて、１日の全尿中におけるＮａ／Ｋ比を換算して求めているので、被測定者が排泄した尿の量を実際に計測する必要がない。また、被測定者が排泄した少なくとも１回の尿中におけるＮａ／Ｋ比が入力データとして得られれば、換算結果が得られる。したがって、この尿成分分析装置９０によれば、被測定者が排泄した１日の全尿中におけるＮａ／Ｋ比を簡便に求めることができる。
【０１８７】
図１５（Ａ），（Ｂ）は、それぞれ、上述のように１回の尿を用いて換算により得られた１日の全尿中のＮａ／Ｋ比を、実測された１日の全尿中のＮａ／Ｋ比を用いて検証した結果を示している（複数の被測定者の結果を含む。）。具体的には、図１５（Ａ）は、起床後１回目の尿を用いて換算により得られた１日の全尿中のＮａ／Ｋ比（横軸）と、実測された１日の全尿中のＮａ／Ｋ比（縦軸）とを対応させて、相関係数を求めたときの結果を示している。このとき相関係数はｒ＝０．６０であった。図１５（Ｂ）は、起床後２回目の尿を用いて換算により得られた１日の全尿中のＮａ／Ｋ比（横軸）と、実測された１日の全尿中のＮａ／Ｋ比（縦軸）とを対応させて、相関係数を求めたときの結果を示している。このとき相関係数はｒ＝０．８８であった。
【０１８８】
また、図１６（Ａ）は、被測定者Ｎｏ．２について、１回（起床後１回目）の尿を用いて換算により得られた日ごとの全尿中のＮａ／Ｋ比（図中の破線で結んだデータ）を、実測された日ごとの全尿中のＮａ／Ｋ比（図中の実線で結んだデータ）を用いて検証した結果を示している。図１６（Ｂ）は、被測定者Ｎｏ．６について、１回（起床後１回目）の尿を用いて換算により得られた日ごとの全尿中のＮａ／Ｋ比（図中の破線で結んだデータ）を、実測された日ごとの全尿中のＮａ／Ｋ比（図中の実線で結んだデータ）を用いて検証した結果を示している。
【０１８９】
これらの図１５（Ａ），（Ｂ）、図１６（Ａ），（Ｂ）の検証結果で、換算値と実測値との間に高い相関（相関係数）が得られている。これにより、被測定者が排泄した１日の全尿中におけるＮａ／Ｋ比を精度良く求めることができることが分かった。
【０１９０】
なお、この実施形態では、相関関係記憶部１５に記憶されている相関関係を指数関数で近似したが、これに限られるものではなく、直線で近似しても良い。直線で近似した場合も、被測定者が排泄した１日の全尿中におけるＮａ／Ｋ比を簡便に求めることができる。
【０１９１】
（第４実施形態）
上述の第３実施形態では、被測定者が排泄した１回の尿中におけるＮａ／Ｋ比に基づいて、１日の全尿中におけるＮａ／Ｋ比を換算して求めたが、それに限られるものではない。被測定者が１日または複数日にわたって排泄した複数回（この例では２回）の尿中におけるＮａ／Ｋ比に基づいて、１日の全尿中におけるＮａ／Ｋ比を換算して求めても良い。
【０１９２】
この場合、相関関係記憶部１５に、例えば図１７（Ａ）に示すように、２回（起床後１回目、２回目）の尿を用いて得られた平均Ｎａ／Ｋ比と、実測された１日の全尿中のＮａ／Ｋ比との間の相関関係を表すデータを記憶させておく。具体的には、図１７（Ａ）は、実測された起床後１回目の尿中のＮａ／Ｋ比と実測された起床後２回目の尿中のＮａ／Ｋ比とを平均して得られた平均Ｎａ／Ｋ比（横軸ｘとする。）と、実測された１日の全尿中のＮａ／Ｋ比（縦軸ｙとする。）との間の関係を直線（図１７（Ａ）中に実線で示す。）で近似し、相関関係を表すデータとしてその直線の式を記憶する場合を示している。この場合、相関係数がｒ＝０．７６であり、高い相関関係があることを示している。
【０１９３】
または、図１７（Ａ）の相関関係に代えて、もしくは図１７（Ａ）の相関関係に加えて、例えば図１７（Ｂ）に示すように、２回（就寝直前、起床後１回目）の尿を用いて得られた平均Ｎａ／Ｋ比と、実測された１日の全尿中のＮａ／Ｋ比との間の相関関係を記憶させておく。具体的には、図１７（Ｂ）は、実測された就寝直前の尿中のＮａ／Ｋ比と実測された起床後１回目の尿中のＮａ／Ｋ比とを平均して得られた平均Ｎａ／Ｋ比（横軸ｘとする。）と、実測された１日の全尿中のＮａ／Ｋ比（縦軸ｙとする。）との間の関係も同様に直線（図１７（Ｂ）中に実線で示す。）で近似し、相関関係を表すデータとしてその直線の式を記憶する場合を示している。この場合、相関係数がｒ＝０．７６であることを示している。
【０１９４】
この場合、この尿成分分析装置９０は、制御部１１による制御によって、全体として図１３に示すフローに従って動作する。
【０１９５】
ｉ）  まず、図１３中のステップＳ４０１に示すように、例えばユーザが図示しない電源スイッチをオンすると、まず１回目の尿指定モードに入る。
【０１９６】
この例では、１回目の尿指定モードでは、ユーザは、操作部１３を介して、測定される尿が、就寝直前の尿であることを表す尿指定情報を入力するものとする。尿指定情報の入力が完了すると、１回目の尿測定モードに入る。
【０１９７】
ii）  １回目の尿測定モードでは、例えば図２（Ａ）中に示すように、ユーザがセンサ部３０に尿９９を降りかけて、スクロールボタン１３Ａを押す。すると、図１３中のステップＳ４０２に示すように、この例ではセンサ部３０がその１回の尿９９中のＮａ／Ｋ比を表すデータを取得し、データ入力部１２がそのＮａ／Ｋ比を表すデータをリアルタイムで入力する。
【０１９８】
この例では、ここで演算モードには入らず、ユーザが図示しない電源スイッチをオフするものとする。なお、既に入力されたＮａ／Ｋ比は、記憶部１４に記憶しておくものとする。
【０１９９】
iii）  次に、図１３中のステップＳ４０３に示すように、ユーザが図示しない電源スイッチをオンすると、２回目の尿指定モードに入る。
【０２００】
この例では、２回目の尿指定モードでは、ユーザは、操作部１３を介して、測定される尿が、起床後１回目の尿であることを表す尿指定情報を入力するものとする。尿指定情報の入力が完了すると、２回目の尿測定モードに入る。
【０２０１】
iv）  ２回目の尿測定モードでは、再び図２（Ａ）中に示すように、ユーザがセンサ部３０に尿９９を降りかけて、スクロールボタン１３Ａを押す。すると、図１３中のステップＳ４０４に示すように、この例ではセンサ部３０がその１回の尿９９中のＮａ／Ｋ比を表すデータを取得し、データ入力部１２がそのＮａ／Ｋ比を表すデータをリアルタイムで入力する。
【０２０２】
この２回目のデータ入力が完了すると、演算モードに入る。
【０２０３】
ｖ）  演算モードでは、図１３中のステップＳ４０５に示すように、制御部１１が演算部として働いて、被測定者が排泄した２回（この例では、就寝直前と起床後１回目）の尿中におけるＮａ／Ｋ比を平均して平均Ｎａ／Ｋ比を求める。つまり、実測された就寝直前の尿中のＮａ／Ｋ比と実測された起床後１回目の尿中のＮａ／Ｋ比とを平均して、平均Ｎａ／Ｋ比を得る。この平均Ｎａ／Ｋ比が換算の対象となる。
【０２０４】
vi）  次に、図１３中のステップＳ４０６に示すように、制御部１１が演算部として働いて、得られた平均Ｎａ／Ｋ比に基づいて、相関関係記憶部１５に記憶された相関関係（この例では、図１７（Ｂ）に示したもの）を用いて、被測定者が１日に排泄した全ての尿を１つに収集するものとしたときの１日の全尿中におけるＮａ／Ｋ比を換算して求める。
【０２０５】
なお、換算の対象が「起床後１回目の尿」と「起床後２回目の尿」のものであれば、それに応じて、図１７（Ａ）に示した相関関係を用いることになる。
【０２０６】
vii）  さらに、図１３中のステップＳ４０７に示すように、この換算により得られたＮａ／Ｋ比を、測定日時と対応づけて、演算結果記憶部１６に記憶させる。これとともに、制御部１１が演算結果報知部として働いて、この換算により得られたＮａ／Ｋ比を、表示部１８に表示させる。
【０２０７】
viii）  そして、ステップＳ４０８に示すように、制御部１１がアドバイス部として働いてアドバイステーブル１７（図２１または図２２）を参照して、上記換算により得られたＮａ／Ｋ比とともに、この換算により得られたＮａ／Ｋ比に応じたアドバイスを選択して、表示部１８に表示させる。
【０２０８】
このように、２回の尿中におけるＮａ／Ｋ比に基づいて、１日の全尿中におけるＮａ／Ｋ比を換算して求めた場合も、換算値と実測値との間に高い相関（相関係数）が得られて、その結果、被測定者が排泄した１日の全尿中におけるＮａ／Ｋ比を精度良く求めることができる。
【０２０９】
なお、１回または２回の尿中におけるＮａ／Ｋ比または平均Ｎａ／Ｋ比を換算の対象とする場合、いずれを用いるかについては、換算の精度と、被測定者による尿計測実施の容易さとを考慮して決定するのが望ましい。換算の精度の順は、概ね、第１位が「起床後１回目の尿」と「起床後２回目の尿」との組み合わせ、第２位が「就寝直前の尿」と「起床後１回目の尿」との組み合わせ、第３位が「起床後２回目の尿」、第４位が「起床後１回の尿」という順になる（第１位と第２位とは、ほぼ同じ精度である。）。被測定者が起床後１回目の尿のＮａ／Ｋ比を自宅で計測した後、直ちに出勤する場合、出勤先で「起床後２回目の尿」のＮａ／Ｋ比を計測するのは、実際問題として難しい。したがって、その場合は、第２位の「就寝直前の尿」と「起床後１回目の尿」との組み合わせを用いるのが望ましい。
【０２１０】
また、相関関係記憶部１５に記憶された相関関係の基準となる「実測された１日の全尿中のＮａ／Ｋ比」は、ヒトが１日または複数日にわたって排泄した全ての尿を１つに収集したときの上記１日または複数日の全尿中におけるＮａ／Ｋ比として求めることができる。その場合、求められた濃度は、各日の尿量や排尿回数に影響されることがない。また、上記相関関係の基準となる「実測された１日の全尿中のＮａ／Ｋ比」は、ヒトが排泄した尿について１日当たりの濃度の平均値を求め、さらに上記１日当たりの濃度の平均値を複数日にわたって平均して求めても良い。この場合、ヒトが上記複数日にわたって排泄した全ての尿を１つに収集する必要がなく、１日毎に尿を収集して、１日当たりの濃度の平均値を求めてゆけば良い。したがって、上記相関関係を容易に取得できる。
【０２１１】
（第５実施形態）
上述の第４実施形態では、被測定者が排泄した２回の尿中におけるＮａ／Ｋ比に基づいて、１日の全尿中におけるＮａ／Ｋ比を換算して求めたが、それに限られるものではない。被測定者が１日または複数日にわたって排泄した３回以上の尿中におけるＮａ／Ｋ比に基づいて、１日の全尿中におけるＮａ／Ｋ比を換算して求めても良い。
【０２１２】
この場合、相関関係記憶部１５に、例えば図１８（Ａ），（Ｂ）、図１９（Ａ），（Ｂ）、図２０に示すように、１回、２回、３回、５回、７回の尿を用いて得られた平均Ｎａ／Ｋ比と、実測された１日の全尿中のＮａ／Ｋ比との間の相関関係を表すデータを記憶させておく。
【０２１３】
具体的には、図１８（Ａ）は、実測された１日の起床後１回目の尿中のＮａ／Ｋ比（横軸ｘとする。）と、実測された１日の全尿中のＮａ／Ｋ比（縦軸ｙとする。）との間の関係を直線（図１８（Ａ）中に実線で示す。）で近似し、相関関係を表すデータとしてその直線の式を記憶する場合を示している。この場合、相関係数がｒ＝０．５０であることを示している。図１８（Ｂ）は、実測された２日間にわたる起床後１回目の尿中のＮａ／Ｋ比を平均して得られた平均Ｎａ／Ｋ比（横軸ｘとする。）と、実測された２日間の全尿中のＮａ／Ｋ比（縦軸ｙとする。）との間の関係を直線（図１８（Ｂ）中に実線で示す。）で近似し、相関関係を表すデータとしてその直線の式を記憶する場合を示している。この場合、相関係数がｒ＝０．６５であることを示している。図１９（Ａ）は、実測された３日間にわたる起床後１回目の尿中のＮａ／Ｋ比を平均して得られた平均Ｎａ／Ｋ比（横軸ｘとする。）と、実測された３日間の全尿中のＮａ／Ｋ比（縦軸ｙとする。）との間の関係を直線（図１９（Ａ）中に実線で示す。）で近似し、相関関係を表すデータとしてその直線の式を記憶する場合を示している。この場合、相関係数がｒ＝０．７２であることを示している。図１９（Ｂ）は、実測された５日間にわたる起床後１回目の尿中のＮａ／Ｋ比を平均して得られた平均Ｎａ／Ｋ比（横軸ｘとする。）と、実測された５日間の全尿中のＮａ／Ｋ比（縦軸ｙとする。）との間の関係を直線（図１９（Ｂ）中に実線で示す。）で近似し、相関関係を表すデータとしてその直線の式を記憶する場合を示している。この場合、相関係数がｒ＝０．７２であることを示している。図２０は、実測された７日間にわたる起床後１回目の尿中のＮａ／Ｋ比を平均して得られた平均Ｎａ／Ｋ比（横軸ｘとする。）と、実測された７日間の全尿中のＮａ／Ｋ比（縦軸ｙとする。）との間の関係を直線（図２０中に実線で示す。）で近似し、相関関係を表すデータとしてその直線の式を記憶する場合を示している。この場合、相関係数がｒ＝０．６８であることを示している。
【０２１４】
ここで、被測定者が排泄した１回の尿中におけるＮａ／Ｋ比に基づいて１日の全尿中におけるＮａ／Ｋ比を換算して求める場合は、この尿成分分析装置９０の制御部１１による制御のフローは、それぞれ図１２に示したフローと同じになる。被測定者が排泄した２回以上の尿中におけるＮａ／Ｋ比に基づいて１日の全尿中におけるＮａ／Ｋ比を換算して求める場合は、この尿成分分析装置９０の制御部１１による制御のフローは、図１３のフローのうち、ステップＳ４０１の尿指定モードとステップＳ４０２の尿測定モードとを、尿測定の回数だけ繰り返して実施するものとなる。ステップＳ４０５からステップＳ４０８までの処理は、第４実施形態におけるのと同様である。
【０２１５】
このようにした場合も、換算値と実測値との間に高い相関（相関係数）が得られて、被測定者が排泄した１日の全尿中におけるＮａ／Ｋ比を精度良く求めることができる。
【０２１６】
総合すると、被測定者が排泄した尿中における特定成分の濃度に関するデータを計測する回数、期間（日数）については、１日１回または複数回の尿を１日または複数日にわたって計測しても良いと言える。計測回数、日数を増やすと、換算により得られたＮａ／Ｋ比の精度を高めることができる。なお、被測定者は計測期間中に毎日計測する必要はない。例えば、７日間の計測期間中に６回だけ計測するようにしても良い。
【０２１７】
なお、上述の各実施形態では、ユーザが操作部１３を介して、測定される尿が起床後１回目の尿、起床後２回目の尿、就寝直前の尿などのうちのいずれの尿であるかを表す尿指定情報を入力するものとしたが、これに限られるものではない。制御部１１が尿判断部として働いて、Ｎａ濃度、Ｋ濃度に関するデータが入力された時刻に応じて、被測定者が排泄した１回の尿または複数回の尿が起床後１回目の尿、起床後２回目の尿、就寝直前の尿のうちのいずれであるかを判断しても良い。これにより、ユーザが尿指定情報を入力する手間を省くことができる。
【０２１８】
その場合、予めユーザが操作部１３を睡眠時間帯設定部として用いて、被測定者が睡眠をとる睡眠時間帯を設定しておくのが望ましい。そのように睡眠時間帯が設定された場合、制御部１１は尿判断部として、Ｎａ濃度、Ｋ濃度に関するデータが入力された時刻を上記睡眠時間帯と比較して、被測定者が排泄した１回の尿または複数回の尿が起床後１回目の尿、起床後２回目の尿、就寝直前の尿のうちのいずれであるかを判断することができる。したがって、制御部１１による尿判断部としての判断の精度が高まる。
【０２１９】
なお、睡眠時間帯の設定入力は、既述の「尿指定」、「血圧」、「ＢＭＩ」、「排尿日時」などの入力と同様に行うことができる。すなわち、上記電源スイッチのオンに続いて、例えばユーザがスクロールボタン１３Ａを３秒間以上押し続けると、制御部１１が表示部１８に「尿指定」、「血圧」、「ＢＭＩ」などに続いて、「睡眠時間帯」の情報を入力するかの選択肢を表示させる。この選択肢が表示されているとき、ユーザがスクロールボタン１３Ａを回転させると、「睡眠禁止時間帯」の始期の値が上昇または下降して表示部１８に表示される。ユーザがスクロールボタン１３Ａを押すと、その時に表示されている時刻が「睡眠時間帯」の始期として入力される。続いて、ユーザがスクロールボタン１３Ａを回転させると、「睡眠時間帯」の終期の値が上昇または下降して表示部１８に表示される。ユーザがスクロールボタン１３Ａを押すと、その時に表示されている時刻が「睡眠時間帯」の終期として入力される。このようにして、「睡眠時間帯」が設定される。なお、睡眠時間帯は、記憶部１４に記憶される。
【０２２０】
また、上述の各実施形態では、各種情報の報知のために表示部１８を備えたが、これに限られるものではない。例えば、表示部１８に加えて、または表示部１８に代えて、スピーカを備えても良い。この場合、制御部１１が算出したＮａ／Ｋ比およびこのＮａ／Ｋ比に応じたアドバイスを、上記スピーカによって音声でユーザに報知することができる。
【０２２１】
（第６実施形態）
本発明者らは、計測回数、日数を増やして実験を重ねた。その結果、複数日にわたる複数回の尿の測定データ（Ｎａ／Ｋ比）を用いるとき、換算の対象として、できるだけ互いに異なる日のできるだけ互いに異なる時間帯の複数回分の測定データを選択すると、換算により得られたＮａ／Ｋ比の精度を高めることができることが分かった。
【０２２２】
例えば図２３は、１日当たり１回の尿中のＮａ／Ｋ比を最長７日間にわたって測定したときの、測定回数と相関係数との間の関係を示している。同図の横軸は、被測定者が排泄した１回の尿中のＮａ／Ｋ比の測定回数（実測回数）を表している。同図の縦軸は、実測された１回ごとの尿中のＮａ／Ｋ比を測定回数（横軸が表す）分だけ平均して得られた平均Ｎａ／Ｋ比と、実測された７日間の全尿中のＮａ／Ｋ比との間の相関係数ｒを表している。ここで、測定回数が７回未満の場合、初日から測定回数分の日までの平均Ｎａ／Ｋ比が換算に用いられている。例えば測定回数が４回の場合は、初日から４日目までの４回分の平均Ｎａ／Ｋ比が換算に用いられている。なお、医療の分野の現状では、ヒトが７日間に排泄した全ての尿を１つに収集したときの上記７日間の全尿中におけるＮａ／Ｋ比が、上記ヒトの健康状態を評価するための基準になっている。
【０２２３】
同図中の○印は、各日における測定対象を「起床後１回目の尿」に限定したときの結果を表している。□印は、各日における測定対象を「起床後２回目の尿」に限定したときの結果を表している。△印は、各日における測定対象を「就寝直前の尿」に限定したときの結果を表している。◇印は、各日における測定対象をランダム、つまり随時尿にしたときの結果を表している。
【０２２４】
この図２３から分かるように、１回の尿中のＮａ／Ｋ比の測定回数が増えてゆくと、相関係数ｒが上昇して、換算の精度が高まっている。ただし、測定回数が５回以上になると、相関係数ｒがほぼ飽和している。また、測定対象を「起床後１回目の尿」、「起床後２回目の尿」、「就寝直前の尿」というように限定するよりも、むしろランダム、つまり随時尿にした方が、相関係数ｒが高くなっている（特に、測定回数が３回以上で）。
【０２２５】
したがって、演算部として働く制御部１１は、換算の対象として、記憶部１４に記憶された被測定者に関する測定データのうち、互いに異なる日の互いに異なる時間帯の複数回分の測定データを選択するのが望ましい。この結果、換算の精度が高まる。この「時間帯」とは、１日を複数に区分したときの時間帯を指し、例えば１時間毎、２時間毎または３時間毎の時間帯を指す。
【０２２６】
また、制御部１１は、換算の対象として、記憶部１４、特に後述の測定データ記憶部１４Ａに記憶された被測定者に関する測定データのうち、互いに異なる日の互いに異なる時間帯の少なくとも５回分の測定データを選択するのが望ましい。この結果、換算の精度が高まる。また、少なくとも５回分の測定データを用いれば、上述のように換算の精度がほぼ飽和する。したがって、例えば予め５回分の測定データを用いることを定めておけば、排尿および測定のために被測定者に過度の手間をかけさせることがない。
【０２２７】
また、上記互いに異なる日は少なくとも７日間を含むのが望ましい。この場合、制御部１１は、換算の対象として、記憶部１４、特に後述の測定データ記憶部１４Ａに記憶された被測定者に関する測定データのうち、複数日の測定データを選択するとき、互いに異なる少なくとも７日間の互いに異なる時間帯の複数回分の測定データを選択する。この結果、換算の精度が高まる。なお、少なくとも７日間の測定データを選択する理由は、１週間（７日間）が多くのヒトの生活（食生活を含む。）のサイクルになっているからである。
【０２２８】
また、上記互いに異なる日は互いに異なる曜日を含むのが望ましい。この場合、制御部１１は、換算の対象として、記憶部１４、特に後述の測定データ記憶部１４Ａに記憶された被測定者に関する測定データのうち、複数日の測定データを選択するとき、互いに異なる曜日の互いに異なる時間帯の複数回分の測定データを選択する。この結果、換算の精度が高まる。なお、互いに異なる曜日の測定データを選択する理由は、上の場合と同様に、１週間（７日間）が多くのヒトの生活（食生活を含む。）のサイクルになっているからである。
【０２２９】
図２４から図２６までは、それぞれ、１回分から５回分の随時尿を用いて制御部１１の換算により得られた１日の全尿中のＮａ／Ｋ比を、実測された１日の全尿中のＮａ／Ｋ比（実際は７日間の全尿中のＮａ／Ｋ比を１日の全尿中のＮａ／Ｋ比と表記したもの。以下同様。）を用いて検証した結果を示している。
【０２３０】
具体的には、図２４（Ａ）は、１回分の随時尿を用いて換算により得られた１日の全尿中のＮａ／Ｋ比を、実測された１日の全尿中のＮａ／Ｋ比との対応させた結果を示している。このとき、相関係数はｒ＝０．５３、標準偏差はＳＤ＝１．１３になっている。図２４（Ｂ）は、互いに異なる日時の２回分の随時尿を用いて換算により得られた１日の全尿中のＮａ／Ｋ比を、実測された１日の全尿中のＮａ／Ｋ比と対応させた結果を示している。このとき、相関係数はｒ＝０．６９、標準偏差はＳＤ＝１．０４になっている。図２５（Ａ）は、互いに異なる日時の３回分の随時尿を用いて換算により得られた１日の全尿中のＮａ／Ｋ比を、実測された１日の全尿中のＮａ／Ｋ比と対応させた結果を示している。このとき、相関係数はｒ＝０．７６、標準偏差はＳＤ＝０．８１になっている。図２５（Ｂ）は、互いに異なる日時の４回分の随時尿を用いて換算により得られた１日の全尿中のＮａ／Ｋ比を、実測された１日の全尿中のＮａ／Ｋ比と対応させた結果を示している。このとき、相関係数はｒ＝０．８３、標準偏差はＳＤ＝０．６７になっている。図２６は、互いに異なる日時の５回分の随時尿を用いて換算により得られた１日の全尿中のＮａ／Ｋ比を、実測された１日の全尿中のＮａ／Ｋ比と対応させた結果を示している。このとき、相関係数はｒ＝０．８５、標準偏差はＳＤ＝０．６３になっている。
【０２３１】
このように、１回の尿中のＮａ／Ｋ比の測定回数が１回分から５回分まで増えてゆくと、相関係数ｒが上昇するとともに標準偏差ＳＤが減少して、換算の精度が高まることを検証できた。
【０２３２】
なお、制御部１１が５回分の尿の測定データを換算の対象とする場合であっても、排尿時間帯が偏っていたり、排尿日が偏っていたりすると、換算の精度があまり高まらない。
【０２３３】
例えば、図２７（Ａ）は、５回分の尿として５日間の起床後１回目の尿のみを用いて換算により得られた１日の全尿中のＮａ／Ｋ比を、実測された１日の全尿中のＮａ／Ｋ比と対応させた結果を示している。このとき、相関係数はｒ＝０．６７、標準偏差はＳＤ＝１．００になっている。また、図２７（Ｂ）は、５回分の尿として５日間の就寝直前の尿のみを用いて換算により得られた１日の全尿中のＮａ／Ｋ比を、実測された１日の全尿中のＮａ／Ｋ比と対応させた結果を示している。このとき、相関係数はｒ＝０．７３、標準偏差はＳＤ＝０．８６になっている。また、図２８は、同じ日に排泄された毎回の尿のみを用いて換算により得られた１日の全尿中のＮａ／Ｋ比を、実測された１日の全尿中のＮａ／Ｋ比と対応させた結果を示している。このとき、相関係数はｒ＝０．７３、標準偏差はＳＤ＝０．８５になっている。
【０２３４】
これらの図２７（Ａ），（Ｂ）、図２８の場合は、図２６の場合に比して、相関係数ｒが低く、かつ標準偏差ＳＤが大きくなっている。したがって、複数回の尿の測定データを換算の対象とする場合であっても、換算の精度があまり高まっていない。
【０２３５】
これらの結果から、複数日にわたる尿の測定データを用いるとき、できるだけ互いに異なる日のできるだけ互いに異なる時間帯の複数回分の測定データを選択すると、換算により得られたＮａ／Ｋ比の精度をより高めることができることを検証できた。
【０２３６】
なお、制御部１１は、選択される複数回分の測定データとして、測定データ記憶部に記憶された被測定者に関する測定データのうち、最後に測定された１回の尿中におけるＮａ／Ｋ比を含めても良い。この結果、制御部１１によって得られた換算結果は、被測定者の直近の健康状態を反映したものとなる。
【０２３７】
（第７実施形態）
図２９は、図１の尿成分分析装置９０の変形例であって、複数日にわたる複数回の尿の測定データ（Ｎａ／Ｋ比）を用いてＮａ／Ｋ比の換算結果を得るのに適した尿成分分析装置９０Ｂのブロック構成を示している。図２９において、図１中の構成要素と同じ構成要素には同じ符号を付している。
【０２３８】
この尿成分分析装置９０Ｂは、図１の尿成分分析装置９０の構成要素に加えて、時計４１と、ネットワーク通信部４２と、ＮＦＣ通信部４３と、警報部４４とを備えている。さらに、この尿成分分析装置９０Ｂは、図１の尿成分分析装置９０に対して、記憶部１４内に、測定データテーブルを記憶する測定データ記憶部１４Ａを備えている。
【０２３９】
時計４１は、現在の日時を計数する。
【０２４０】
ネットワーク通信部４２は、制御部１１からの情報をこの例では３Ｇ（第３世代移動通信システム）やＷｉ−Ｆｉ（登録商標）などの無線の通信回線を介してネットワーク上の他の装置（図示せず）へ送信するとともに、ネットワーク上の他の装置（図示せず）から送信されてきた情報を受信して制御部１１に受け渡す。これにより、例えばインターネットを介して、他の装置と連携してユーザに健康関連情報を提供することが可能になる。なお、通信回線は、無線に限らず、有線であっても良い。
【０２４１】
ＮＦＣ（Near Field Communication；近距離無線通信）通信部４３は、被測定者が携行するＩＤ（識別）カードが接近されたとき、制御部１１とともに個人認証部として働いて、被測定者を識別する。これにより、被測定者に関する測定データを個人単位で区別することによって、この尿成分分析装置９０Ｂを複数の被測定者が共用することが可能になる。なお、被測定者を識別するためには、ＮＦＣ通信部４３に代えて、操作部１３を介して被測定者がＩＤ番号を入力するようにしても良いし、また、指紋などを読み取る読取部を設けて、生体認証を行っても良い。
【０２４２】
警報部４４は、この例ではブザーからなり、制御部１１からの制御信号に応じて警報音を鳴らす。
【０２４３】
測定データ記憶部１４Ａは、例えば次のような測定データテーブルを記憶する。
（測定データテーブル）
0005984814.tif 000002
【０２４４】
これから分かるように、測定データテーブルは、被測定者ごとに、データ入力部１２を介して得られた１日または複数日にわたる、各１回の尿中におけるＮａ／Ｋ比を、それぞれの尿が排泄された排尿日時、およびその尿のＮａ／Ｋ比が測定された測定日時と対応付けて、被測定者に関する測定データとして記憶している。
【０２４５】
ここで、被測定者「山田太郎」氏の測定データについては、それぞれ次のようにして記録されたものである。まず、山田太郎氏がＩＤカードをＮＦＣ通信部４３に接近させて、被測定者が「山田太郎」氏であることを認証させた。この個人認証に続いて、山田太郎氏は測定のために尿をセンサ部３０に降りかけ、センサ部３０がその１回の尿中におけるＮａ／Ｋ比を直接取得し、データ入力部１２がそのＮａ／Ｋ比を表すデータをリアルタイムで入力した。これと同時に、時計４１が計数する現在の日時を、排尿日時および測定日時として取り込んだ。この結果、被測定者「山田太郎」氏の測定データについては、排尿日時と測定日時とが一致している。例えば、被測定者「山田太郎」氏の最初の測定データについては、排尿日時2011/10/21 07:00と測定日時2011/10/21 07:00とが一致している。その１回の尿のＮａ／Ｋ比は４．５であった。このようにした場合、ユーザである被測定者が排尿日時を入力する手間を省くことができる。
【０２４６】
被測定者「鈴木花子」氏の測定データについては、それぞれ次のようにして記録されたものである。鈴木花子が測定のために排泄した尿を一時的に容器に入れて保管した。その後、鈴木花子氏がＩＤカードをＮＦＣ通信部４３に接近させて、被測定者が「鈴木花子」氏であることを認証させた。この個人認証に続いて、鈴木花子氏は、操作部１３を排尿日時入力部として用いて、上記尿ついての排尿日時を入力した。続いて、鈴木花子氏は、容器中の尿にセンサ部３０を浸漬し、センサ部３０がその１回の尿中におけるＮａ／Ｋ比を直接取得し、データ入力部１２がそのＮａ／Ｋ比を表すデータをリアルタイムで入力した。この結果、被測定者「鈴木花子」氏の測定データについては、排尿日時よりも測定日時が後になっている。例えば、被測定者「鈴木花子」氏の最初の測定データについては、排尿日時2011/12/01 07:00よりも測定日時2011/12/01 18:00が後になっている。その１回の尿のＮａ／Ｋ比は３．５であった。なお、排尿日時の入力を、尿にセンサ部３０を浸漬した後（測定日時の後）に行っても良い。
【０２４７】
このように、測定データ記憶部１４Ａが測定データテーブルを記憶することにより、様々な使用態様が可能となる。
【０２４８】
また、制御部１１は、演算部として、この測定データテーブルを用いて、既述の換算結果を得ることができる。
【０２４９】
なお、排尿日時の入力は、既述の「尿指定」、「血圧」、「ＢＭＩ」などの入力と同様に行うことができる。すなわち、上記電源スイッチのオンに続いて、例えばユーザがスクロールボタン１３Ａを３秒間以上押し続けると、制御部１１が表示部１８に「尿指定」、「血圧」、「ＢＭＩ」などに続いて、「排尿日時」の情報を入力するかの選択肢を表示させる。この選択肢が表示されているとき、ユーザがスクロールボタン１３Ａを回転させると、「排尿日時」の入力候補の値が上昇または下降して表示部１８に表示される。ユーザがスクロールボタン１３Ａを押すと、その時に表示されている値が排尿日時として入力される。
【０２５０】
（第８実施形態）
図３０は、図２９に示した尿成分分析装置９０Ｂによる排尿の履歴表示と推奨に関する動作のフローを示している。このフローは、制御部１１が排尿履歴報知部および排尿推奨日時報知部として働いて実行する。
【０２５１】
ｉ）  まず、図３０中のステップＳ５０１に示すように、或る被測定者の１回の尿中におけるＮａ／Ｋ比を測定するとともに、ステップＳ５０２に示すように、その１回の尿について、排尿日時、測定日時およびＮａ／Ｋ比を測定データ記憶部１４Ａに記憶させる。  このステップＳ５０１〜Ｓ５０２を繰り返して、測定データ記憶部１４Ａに上述のような測定データテーブルを構築してゆく。
【０２５２】
ii）  次に、制御部１１がヒストグラム作成部として働いて、上記測定データテーブルに記憶された排尿日時に基づいて、１日または複数日にわたる期間内の上記被測定者による排尿日時の履歴を表すヒストグラムを作成する。
【０２５３】
このヒストグラムは、例えば図３２（Ａ）に示すように、上記被測定者による排尿日時の履歴を「測定回数」として曜日毎に表すものであっても良いし、または、図３２（Ｂ）に示すように、上記被測定者による排尿日時の履歴を「測定回数」として時間帯毎に表すものであっても良い。この例では、図３２（Ａ）のような曜日毎のヒストグラムと図３２（Ｂ）のような時間帯毎のヒストグラムとの両方を作成するものとする。
【０２５４】
この例では、図３２（Ａ）の曜日毎のヒストグラムは、上記被測定者は、月曜日、水曜日、金曜日、土曜日、日曜日にそれぞれ１回以上排尿して測定を行った実績があるが、火曜日、木曜日には、排尿して測定を行った実績が無い（０回である）ことを示している。また、図３２（Ｂ）の時間帯毎のヒストグラムは、上記被測定者は、０時台、６時台、７時台、２０時台、２１時台、２２時台、２３時台の時間帯（１時間毎）にそれぞれ１回以上排尿して測定を行った実績があるが、１時台から５時台までの時間帯、８時台から９時台までの時間帯、１１時台から１９時台までの時間帯には、排尿して測定を行った実績が無い（０回である）ことを示している。
【０２５５】
iii）  次に、図３０のステップＳ５０４に示すように、制御部１１が第１の排尿推奨日時決定部として働いて、測定データテーブルに記憶された排尿日時に基づいて、上記被測定者に関する測定データが１日のうち互いに異なる時間帯または複数日のうち互いに異なる日の互いに異なる時間帯に得られるように、被測定者が排尿すべき排尿推奨日時を決定する。
【０２５６】
具体的には、上記測定データテーブルにおいて、上記排尿して測定を行った実績が無い曜日、また、排尿して測定を行った実績が無い時間帯を、上記被測定者が排尿すべき排尿推奨日時として決定する。
【０２５７】
例えば、図３２（Ａ），（Ｂ）の例では、火曜日、木曜日に排尿して測定を行った実績が無かった。また、１時台から５時台までの時間帯、８時台から９時台までの時間帯、１１時台から１９時台までの時間帯には、排尿して測定を行った実績が無かった。したがって、火曜日、木曜日、１時台から５時台までの時間帯、８時台から９時台までの時間帯、１１時台から１９時台までの時間帯を、上記被測定者が排尿すべき排尿推奨日時として決定する。
【０２５８】
iv）  次に、図３０のステップＳ５０５に示すように、制御部１１が排尿推奨日時報知部として働いて、上記被測定者による排尿日時の履歴を表すヒストグラムおよび上記被測定者が排尿すべき排尿推奨日時を、表示部１８に表示させて報知する。
【０２５９】
例えば図３２（Ａ），（Ｂ）のようなヒストグラムを見ることにより、ユーザとしての被測定者は上記被測定者が過去に排尿や測定を行わなかった曜日や時間帯を、視覚を通して直感的に認識できる。また、被測定者は、過去に排尿や測定を行わなかった曜日や時間帯に、今後は排尿や測定を行うように促される。したがって、そのような曜日や時間帯に、今後は排尿や測定を行うように心掛けることができる。
【０２６０】
上記被測定者が排尿すべき排尿推奨日時の表示は、上の例では「火曜日、木曜日、１時台から５時台までの時間帯、８時台から９時台までの時間帯、１１時台から１９時台までの時間帯に、排尿して測定を行ってください。」というメッセージとしても良い。または、具体的に日時を指定して、例えば「2012年5月1日（火曜日） 11:00頃に、排尿して測定を行ってください。」というメッセージとしても良い。
【０２６１】
また、上記被測定者が排尿すべき排尿推奨日時は、表示部１８に表示させるのに代えて、またはそれに加えて、警報部４４によって排尿推奨日時に警報音を鳴らす動作を実行しても良い。この場合、上記被測定者は、警報音が鳴った日時に排尿や測定を行うように促される。または、排尿推奨日時に、ネットワーク通信部４２によって上記被測定者に対して排尿を促すメールを送信する動作を実行しても良い。この場合、上記被測定者は、例えば自身の携帯電話やスマートフォンなどでメールを受信した日時に排尿や測定を行うように促される。なお、排尿推奨日時に先立って予め、上記被測定者に対して排尿推奨日時を記載したメールを送信して、その排尿推奨日時に排尿や測定を行うように促しても良い。また、被測定者がスマートフォンを携帯している場合は、上記被測定者に対して、ソフトウェア（Facebook（登録商標）などのソーシャル・ネットワーキング・サービス（ＳＮＳ）を含む。）を介して、排尿推奨日時を報知しても良い。いずれの場合も、被測定者が排尿や測定を行うべき排尿推奨日時を、被測定者に対して排尿推奨日時に知らせて良いし、排尿推奨日時に先立って予め知らせても良い。
【０２６２】
なお、警報音を鳴らしたり、メールを送信したりする動作は、例えば被測定者が就寝している時間帯などに実行するのは、被測定者に迷惑であり、避けるべきであると考えられる。その場合、被測定者が操作部１３を報知禁止時間帯設定部として用いて、制御部１１による警報音鳴動、メール送信の動作を禁止すべき報知禁止時間帯（例えば２３：００〜０７：００）を設定するのが望ましい。なお、報知禁止時間帯は、記憶部１４に記憶されるものとする。
【０２６３】
また、報知禁止時間帯の設定入力は、既述の「尿指定」、「血圧」、「ＢＭＩ」、「排尿日時」などの入力と同様に行うことができる。すなわち、上記電源スイッチのオンに続いて、例えばユーザがスクロールボタン１３Ａを３秒間以上押し続けると、制御部１１が表示部１８に「尿指定」、「血圧」、「ＢＭＩ」などに続いて、「報知禁止時間帯」の情報を入力するかの選択肢を表示させる。この選択肢が表示されているとき、ユーザがスクロールボタン１３Ａを回転させると、「報知禁止時間帯」の始期の値が上昇または下降して表示部１８に表示される。ユーザがスクロールボタン１３Ａを押すと、その時に表示されている時刻が「報知禁止時間帯」の始期として入力される。続いて、ユーザがスクロールボタン１３Ａを回転させると、「報知禁止時間帯」の終期の値が上昇または下降して表示部１８に表示される。ユーザがスクロールボタン１３Ａを押すと、その時に表示されている時刻が「報知禁止時間帯」の終期として入力される。このようにして、「報知禁止時間帯」が設定される。
【０２６４】
図３１は、そのような報知禁止時間帯が設定されている場合の制御部１１による動作のフローを示している。
【０２６５】
制御部１１は、まずステップＳ６０１で排尿推奨日時があるか（決定されているか）否かを判断する。排尿推奨日時がある場合（ステップＳ６０１でＹＥＳ）、制御部１１は、時計４１を参照して、現在の時刻が報知禁止時間帯に属するか否かを判断する（ステップＳ６０２）。現在の時刻が報知禁止時間帯に属さない場合（ステップＳ６０２でＮＯ）は、排尿推奨日時を報知する（ステップＳ６０３）。この報知により、被測定者は排尿や測定を促される。
【０２６６】
一方、現在の時刻が報知禁止時間帯に属する場合（ステップＳ６０２でＹＥＳ）は、時間が経過するのを待ち、現在の時刻が報知禁止時間帯から外れた時点で（ステップＳ６０２でＮＯ）、排尿推奨日時を報知する（ステップＳ６０３）。これにより、例えば被測定者が就寝している時間帯に、上記警報音やメールによって排尿を強制されるような事態を避けることができる。
【０２６７】
（第９実施形態）
図２９の尿成分分析装置において、測定データ記憶部１４Ａに過去の測定データが記憶されていない場合（例えば、この装置がユーザに最初に使用される場合）など、過去の測定データに依らず、将来の排尿推奨日時を決定すべき場合がある。
【０２６８】
そのような場合に、制御部１１が第２の排尿推奨日時決定部として働いて、被測定者が排尿すべき排尿推奨日時を決定する仕方を、図３３に示す採尿計画テーブル１８０を用いて説明する。この採尿計画テーブル１８０では、表頭１８０ａに、複数日、この例では月曜日から日曜日までの少なくとも１週間（７日間）が示されている。表側１８０ｂに、被測定者の起床時刻から就寝時刻までの朝、昼、夜の時間帯が示されている。表体１８０ｃには、尿が入った採尿容器を表す採尿容器マーク１８１が、表頭１８０ａの曜日毎、表側１８０ｂの時間帯毎に並べて示されている（なお、適宜、省略記号…でマーク１８１が省略されている。）。また、現在の日時（この例では、月曜日の起床時刻前）が、☆印１８２で示されている。
【０２６９】
この図３３の例では、現在の日時である月曜日の起床時刻直前に、制御部１１が第２の排尿推奨日時決定部として働いて、将来の１週間の間に上記被測定者が排尿すべき排尿推奨日時を抽選でランダムに決定する（なお、「将来」とは、現在の時刻が起床時刻前であれば、その現在の時刻が属する日を含んでも良い意味である。）。表体１８０ｃには、そのようにして決定された排尿推奨日時が太枠マーク１８３ａ，１８３ｂ，１８３ｃ，１８３ｄ，１８３ｅ，１８３ｆで示されている。具体的には、その排尿推奨日時を含む時間帯に対応する採尿容器マーク１８１（または省略記号…）が太枠マーク１８３ａ，１８３ｂ，１８３ｃ，１８３ｄ，１８３ｅ，１８３ｆで囲まれている。例えば、火曜日は、太枠マーク１８３ｂによって、排尿推奨日時が就寝直前の時間帯に属することが示されている。水曜日は、太枠マーク１８３ｃによって、排尿推奨日時が正午を含む時間帯に属することが示されている。木曜日は、排尿推奨日時が起床直後の時間帯に属することが示されている。
【０２７０】
なお、図３４の採尿計画テーブル１８０′に示すように、制御部１１は、現在の日時である１日の起床時刻直前に、その１日について上記被測定者が排尿すべき排尿推奨日時を抽選でランダムに決定しても良い。この図３４の例では、太枠マーク１８３によって、決定された排尿推奨日時が就寝直前の時間帯に属することが示されている。
【０２７１】
決定された排尿推奨日時は、制御部１１が排尿推奨日時報知部として働いて、上記被測定者に報知する。報知の仕方は、図３０のステップＳ５０５に関して説明したのと同様に、表示部１８に表示させる、警報音によるなど、様々な態様が可能である。
【０２７２】
上の例では、制御部１１が排尿推奨日時を決定するタイミングは、採尿計画テーブル１８０，１８０′で示された期間（対象期間）の初日（または１日）の起床時刻直前であるものとしたが、これに限られるものではない。制御部１１が排尿推奨日時を決定するタイミングは、対象期間の初日（または１日）の起床時刻前であれば、いつでも良い。例えば、対象期間の初日（または１日）の前日の夜であっても良い。
【０２７３】
（第１０実施形態）
図３５（Ａ）は、この発明の別の実施形態の尿成分分析装置（全体を符号９０Ｃで示す。）の態様を示している。
【０２７４】
この尿成分分析装置９０Ｃは、便器据え付けタイプの尿成分分析装置であり、便器１９８の周り（この例では水タンク１９６の側面）に取り付けられた筐体１０Ｃと、便器１９８内の空間に配置されたセンサ部３０Ｃとを備えている。
【０２７５】
筐体１０Ｃ内には、図２９の尿成分分析装置９０Ｂの筐体１０におけるのと同様の構成要素が搭載されている。センサ部３０Ｃは、アーム３２によって支持されている。アーム３２は、便座の蓋１９７の根元付近から便器１９８内の略中央まで延在している。これにより、センサ部３０Ｃは、水溜まり１９９の上方の位置に保持されている。
【０２７６】
センサ部３０Ｃは、図２９中のセンサ部３０と同じ構成要素であり、この例では図示しない配線によって筐体１０Ｃ内のデータ入力部１２に接続されている。これにより、この尿成分分析装置９０Ｃは、図２９の尿成分分析装置９０Ｂと同様に動作することができる。
【０２７７】
例えば、この便器据え付けタイプの尿成分分析装置９０Ｃを使用する場合、ユーザとしての被測定者が排尿する時、便器１９８内の空間でセンサ部３０Ｃに尿が降りかかる状態にする。これにより、センサ部３０Ｃが、被測定者が排泄した尿に接触して、第１特定成分、第２特定成分の濃度に関するデータ、この例ではＮａ／Ｋ比を取得する。この便器据え付けタイプの尿成分分析装置９０Ｃによれば、ユーザとしての被測定者は、紙コップなどの尿を溜める容器を用意する必要がない。
【０２７８】
なお、筐体１０は、水タンク１９６の側面に限られず、便器１９８の周りまたは便器１９８が設けられた室内のいずれの箇所に設けられていても良い。また、筐体１０は、水タンク１９６または便器１９８に一体に組み込まれていても良い。
【０２７９】
また、センサ部３０Ｃは、図３５（Ｂ）に示すような態様で便器１９８内の空間に配置されていても良い。この図３５（Ｂ）の例では、細長いバー３３の中央にセンサ部３０Ｃが取り付けられている。バー３３の両端にはそれぞれ円弧状のフック３４Ａ，３４Ｂが一体に形成されている。フック３４Ａ，３４Ｂは、それぞれ便器１９８の上縁に引っ掛けられている。これにより、バー３３は、便器１９８の上縁の互いに対向する部分の間に架け渡されている。このような態様で、センサ部３０Ｃは、水溜まり１９９の上方の位置に保持されている。
【０２８０】
また、図３５（Ｂ）中のバー３３は、ストレートではなく、下方へ向かって凸に撓んでいても良い。
【０２８１】
（第１１実施形態）
図３６は、この発明の別の実施形態の尿成分分析装置（全体を符号９０Ａで示す。）のブロック構成を示している。なお、理解の容易のために、図１中の構成要素と同じ構成要素には同じ符号を付して、重複した説明を省略する。
【０２８２】
この尿成分分析装置９０Ａは、筐体１０Ａと、この筐体１０Ａに搭載されて収容された制御部１１、記憶部１４および通信部２０を備えている。
【０２８３】
この例では、筐体１０Ａは、机上または床上に置かれるべきタワー型の筐体として構成されている。
【０２８４】
通信部２０は、データ入力部１２と、演算結果送信部１９とを含んでいる。この通信部２０は、無線または有線の通信回線３００を介して、筐体１０Ａの外部に存在する携帯電話またはパーソナルコンピュータ（ＰＣ）２００と接続されている。この例では、携帯電話またはＰＣ２００は、ユーザとしての被測定者が操作部（キーボード、テンキー、マウスなど）２０１を操作して使用するものとする。
【０２８５】
データ入力部１２は、携帯電話またはＰＣ２００から通信回線３００を介して、被測定者が排泄した尿中の２つの特定成分の濃度（この例では、Ｎａ濃度、Ｋ濃度）に関するデータを受信して入力する。なお、記憶部１４内に既述の測定データテーブルを構築するように、被測定者を識別するＩＤ番号と、各１回の尿中におけるＮａ／Ｋ比と、その尿についての排尿日時および測定日時とを、対応付けて入力しても良い。
【０２８６】
演算結果送信部１９は、制御部１１が算出した演算結果（この例では、Ｎａ／Ｋ比）を、通信回線３００を介して、携帯電話またはＰＣ２００へ出力する。
【０２８７】
この結果、この尿成分分析装置９０Ａは、データの入力、演算結果の出力を無線または有線の通信回線３００を介して行うサーバタイプの尿成分分析装置として構成されている。
【０２８８】
例えば、このサーバタイプの尿成分分析装置９０Ａを使用する場合、筐体１０Ａから離れた遠隔地に居るユーザとしての被測定者が市販のセンサ等によってＮａ濃度、Ｋ濃度に関するデータを取得する。このデータが、被測定者が操作する携帯電話またはＰＣ２００から無線または有線の通信回線３００を介して、データ入力部１２によって入力される。これとともに、被測定者は、携帯電話またはＰＣ２００の操作部２０１を介して、測定の対象となる尿が、起床後１回目の尿、起床後２回目の尿、就寝直前の尿のうちのいずれであるかを表す尿指定情報を入力する。この尿指定情報は、携帯電話またはＰＣ２００から無線または有線の通信回線３００を介して、さらに通信部２０を介して、制御部１１に入力される。この結果、制御部１１によって、被測定者が１日に排泄した全ての尿を１つに収集するものとしたときの上記１日の全尿中におけるＮａ／Ｋ比が算出される。制御部１１が算出したＮａ／Ｋ比は、このＮａ／Ｋ比に応じたアドバイスとともに、演算結果送信部１９によって無線または有線の通信回線３００を介して、筐体１０Ａから離れた遠隔地に居る被測定者の携帯電話またはＰＣ２００へ向けて出力される。この結果、被測定者は、自身が居る場所で、携帯電話またはＰＣ２００の表示部（ＬＣＤなど）２０２を通して、制御部１１が算出したＮａ／Ｋ比およびこのＮａ／Ｋ比に応じたアドバイスを知ることができる。
【０２８９】
このように、このサーバタイプの尿成分分析装置９０Ａによれば、筐体１０Ａから離れた遠隔地に居るユーザによる利用が容易になる。
【０２９０】
なお、上述の各実施形態では、換算により求めるべき尿中の第１特定成分、第２特定成分は、それぞれナトリウム（Ｎａ）、カリウム（Ｋ）であるものとしたが、これに限られるものではない。第１特定成分、第２特定成分は、例えばナトリウム、カリウム、カルシウム、グルコースのうちの互いに異なるいずれか一つの成分であっても良い。これらの成分が得られれば、例えば被測定者の食生活などの生活習慣の改善に有益なアドバイスが提供され得る。特に、上記第１特定成分、第２特定成分がそれぞれナトリウム（Ｎａ）、カリウム（Ｋ）であれば、換算により得られたＮａ／Ｋ比は、被測定者の高血圧を改善するための情報として用いることができる。
【０２９１】
なお、上述の各実施形態は例示に過ぎず、この発明の範囲から逸脱することなく種々の変形が可能である。
【符号の説明】
【０２９２】
１０，１０Ａ，１０Ｃ  筐体
１１  制御部
１２  データ入力部
１３  操作部
１５  相関関係記憶部
１６  演算結果記憶部
１７  アドバイステーブル
１８  表示部
１９  演算結果送信部
３０，３０Ｃ  センサ部
４１  時計
４２  ネットワーク通信部
４３  ＮＦＣ通信部
４４  警報部
９０，９０Ａ，９０Ｂ，９０Ｃ  尿成分分析装置
【図１】
0005984814.tif 000003
【図２】
0005984814.tif 000004
【図３】
0005984814.tif 000005
【図４】
0005984814.tif 000006
【図５】
0005984814.tif 000007
【図６】
0005984814.tif 000008
【図７】
0005984814.tif 000009
【図８】
0005984814.tif 000010
【図９】
0005984814.tif 000011
【図１０】
0005984814.tif 000012
【図１１】
0005984814.tif 000013
【図１２】
0005984814.tif 000014
【図１３】
0005984814.tif 000015
【図１４】
0005984814.tif 000016
【図１５】
0005984814.tif 000017
【図１６】
0005984814.tif 000018
【図１７】
0005984814.tif 000019
【図１８】
0005984814.tif 000020
【図１９】
0005984814.tif 000021
【図２０】
0005984814.tif 000022
【図２１】
0005984814.tif 000023
【図２２】
0005984814.tif 000024
【図２３】
0005984814.tif 000025
【図２４】
0005984814.tif 000026
【図２５】
0005984814.tif 000027
【図２６】
0005984814.tif 000028
【図２７】
0005984814.tif 000029
【図２８】
0005984814.tif 000030
【図２９】
0005984814.tif 000031
【図３０】
0005984814.tif 000032
【図３１】
0005984814.tif 000033
【図３２】
0005984814.tif 000034
【図３３】
0005984814.tif 000035
【図３４】
0005984814.tif 000036
【図３５】
0005984814.tif 000037
【図３６】
0005984814.tif 000038